(57)【特許請求の範囲】
【請求項１】
レンズスナップリングをバルブの支持主体とし、LEDバルブの光機械コア構成要素を支持して、配光光学レンズをサブ支持構造とするとともにLEDバルブの光機械コア構成要素の実装ベースとし、若しくはインナースナップリングを配置してLEDバルブヒートシンクの実装ベースとし、レンズスナップリングには、バルブ実装のための実装フランジが設けられ、前記LEDバルブの光機械コア構成要素は、伝熱ブラケット、光機械モジュール、インナースナップリング、配光光学レンズとからなり、光機械モジュール外にインナーカバーが設けられ、伝熱ブラケットには電気コネクターが設けられており、前記光機械モジュールは、ダイボンドとパッケージとによって光機械プレート、LEDチップセットと関連の配線とで構成され、給電駆動チップがさらに集積され、
前記レンズスナップリングの直径は、バルブ外径Dであり、バルブ外径Dと、構成されたLEDバルブパワー上限Wは、W=1.1812e0.0361Dの関係となり、W=1.1812e0.0361Dという関係曲線上において、Dは離散的数値を取り複数の一定のバルブ外径D寸法のLEDバルブを構成することでLEDバルブの互換性および通用性を高め、
前記バルブ外径Dには、W=1.1812e0.0361Dという関係曲線上において、Dは、20mmを下限とし、130mmを上限とし、10mm毎に1段階として、12段階に分けて有限量のバルブ外径規格を構成し、少量のバルブ外径規格でLEDバルブの互換性と通用性をさらに高め、
前記レンズスナップリングの実装フランジ上のフランジ固定穴は、バルブ外径Dから止めネジナット直径を引いてから、0.8〜4mmのマージンをさらに引いた直径D1上に均等分布し、
前記LEDバルブの灯具上のヒートシンクインターフェース開口直径D2は、バルブ外径Dから2倍の止めネジナット直径を引いて、前記の0.8〜4mmのマージンの2倍をさらに引いたものであって、
前記LEDバルブの実装インターフェースは、灯具の、LEDバルブと接触する面と、LEDバルブに接続される穴を含むことを特徴とする汎用型LEDバルブの構成方法。
【請求項２】
前記伝熱ブラケット上には、ヒートシンクが設けられ、ヒートシンクと伝熱ブラケットとの間には、伝熱パッドが設けられ、
前記ヒートシンクは、
メッシュ状の非金属ヒートシンクと架空状の伝熱変換ブラケットとを含む非金属ヒートシンクアセンブリーであり、
非金属ヒートシンクと伝熱変換ブラケットは極細の非金属伝熱材で、低温押出成形を経た後高温焼結して得られ、両者の接触面は伝熱接着剤を塗布してから一体的に接着され、
非金属ヒートシンクの固定ネジ穴内にゴムスリーブ或はネジ固定のりを充填することで止めネジを接続し、非金属ヒートシンク外にヒートシンクカバーを設置し、
伝熱変換ブラケットは、非金属ヒートシンクを架空することで、空気を伝熱変換ブラケットから非金属ヒートシンクのメッシュ内に進入させ、若しくは、
前記ヒートシンクは中空構造が採用された金属ヒートシンクであり、中空部分に発泡金属が充填されて、中空構造内に超伝導液が注入され、中空構造は上下プラグによって絞り嵌め圧入またはネジシールネジ込みを用いて密閉空間を形成して密閉空間を吸い出して真空とし、
ヒートシンク止めネジはインナースナップリング上の固定用貫通孔を突き抜けることで、非金属ヒートシンクまたは金属ヒートシンクのヒートシンク固定ネジ穴に接続されることを特徴とする請求項1に記載の汎用型LEDバルブの構成方法。
【請求項３】
前記伝熱ブラケット上に、オスコネクター固定穴を設け、接続ピン付きオス電気コネクターをオスコネクター固定穴に挿入し、バルブ内部に挿入された部分を固定端として固定し、
接続ピン末端が汎用型LEDバルブ内の光機械プレートと溶接されることで汎用型LEDバルブの外面上に簡単な電気接続口を形成し、実装時にオス電気コネクターを、ケーブル付きメス電気コネクターに接続させてから汎用型LEDバルブを固定するだけで、汎用型LEDバルブの電気的接続を実現でき、
前記オス電気コネクターの伝熱ブラケット上の穴の偏心位置およびオス電気コネクター固定端の寸法を限定することにより、LEDバルブ内の光機械プレートの、LEDチップと駆動電源チップの配置需要および位置決め需要が満たされ、
前記接続ピン付き電気コネクターは、2針が電源接続、2針が制御接続される4針構造であって、
前記固定端は、ナット固定方式または溶接リング固定方式であって、
固定端がナット固定方式の場合オス電気コネクターと伝熱ブラケットとの間に防水ゴムリングを設けて防水し、
回転を防止するために、オス電気コネクター上に滑り止め溝が設けられ、前記伝熱ブラケットの穿孔に、対応する突起が設けられ、
前記メス電気コネクターには、3穴フランジが設けられ、止めネジによって灯具ヒートシンクに固定され、メス電気コネクターとヒートシンクとの間に調節ゴムパッドを設置して厚さを調整することで、防水面の密着性を保証し若しくは雄ネジをオス電気コネクター上に設けて、防水ゴムリングの設けられたメス電気コネクターにある、固定ナットの雌ネジと合わせて固定し防水し、メス電気コネクター上には、防水ゴムリングを備えて防水を行う嵌合溝が設けられることを特徴とする請求項1に記載の汎用型LEDバルブの構成方法。
【請求項４】
実装フランジ付きレンズスナップリング（8）を含み、
レンズスナップリング（8）内には少なくとも伝熱ブラケット（3）、光機械モジュール（4）、配光光学レンズ（7）が順に設けられ、
配光光学レンズ（7）上に凹溝が設けられ、かつ凹溝内に、伝熱ブラケット（3）が接着されている階段が設けられており、
伝熱ブラケット（3）に、光機械モジュール（4）が接着されておりオス電気コネクター（11）が固定されており、
光機械モジュール（4）外にはインナーカバー（6）が設けられ、
配光光学レンズ（7）の凹溝エッジとインナーカバー（6）との間にはインナーリングカバー（62）が設けられ、
光機械モジュール（4）は伝熱ブラケット（3）と配光光学レンズ（7）との間の密封防水空間内に封止され、かつレンズスナップリング（8）実装の際に、伝熱ブラケット（3）の上面にヒートシンク（103）がしっかりと貼り付けられており、
或は、光機械モジュール（4）外はインナースナップリング（81）によって取り囲まれ、
インナースナップリング（81）は、
上部が伝熱ブラケット（3）に接着し、下端に、防水の役割を果たすとともにヒートシンク止めネジが伝熱ブラケットを押しつぶすことを防ぐための押縁を備えるヒートシンク固定用貫通孔（23）が設けられ、
前記光機械モジュール（4）はダイボンドとパッケージとによって光機械プレート、LEDチップセットと関連の配線とで構成され、給電駆動チップがさらに集積され、
前記光機械プレートはPCBプリント配線基板技術を通じて回路が得られる金属材料伝熱基板であるか、若しくは銀ペーストプリント回路技術を用いて回路を嵌合されている非金属材料伝熱基板であり、
前記レンズスナップリングの直径は、バルブ外径Dであり、バルブ外径Dと、構成されたLEDバルブパワー上限Wは、W=1.1812e0.0361Dの関係となり、W=1.1812e0.0361Dという関係曲線上において、Dは離散的数値を取り複数の一定のバルブ外径D寸法のLEDバルブを構成することでLEDバルブの互換性および通用性を高め、
前記バルブ外径Dには、W=1.1812e0.0361Dという関係曲線上において、Dは、20mmを下限とし、130mmを上限とし、10mm毎に1段階として、12段階に分けて有限量のバルブ外径規格を構成し、少量のバルブ外径規格でLEDバルブの互換性と通用性をさらに高め、
前記レンズスナップリングの実装フランジ上のフランジ固定穴は、バルブ外径Dから止めネジナット直径を引いてから、0.8〜4mmのマージンをさらに引いた直径D1上に均等分布し、
前記LEDバルブの灯具上のヒートシンクインターフェース開口直径D2は、バルブ外径Dから2倍の止めネジナット直径を引いて、前記の0.8〜4mmのマージンの2倍をさらに引いたものであって、
前記LEDバルブの実装インターフェースは、灯具の、LEDバルブと接触する面と、LEDバルブに接続される穴を含むことを特徴とするスナップリングレンズ式のLEDバルブ。
【請求項５】
前記伝熱ブラケット（3）と光機械プレートは同一の非金属伝熱材を用いて一体的に構築されていることを特徴とする請求項4に記載のスナップリングレンズ式のLEDバルブ。
【請求項６】
前記伝熱ブラケット（3）上には、ヒートシンク（103）が設けられ、ヒートシンク（103）と伝熱ブラケット（3）との間には、伝熱パッド（2）が設けられ、
前記ヒートシンク（103）は、メッシュ状の非金属ヒートシンクとそれよりも下方の架空状の伝熱変換ブラケット（1）とを含む非金属ヒートシンクアセンブリーであり、非金属ヒートシンクのヒートシンク固定ネジ穴（33）内にゴムスリーブ或はネジ固定のりを充填することで固定ネジを接続し、非金属ヒートシンク外にヒートシンクカバー（101）が設置される、
ことを特徴とする請求項4に記載のスナップリングレンズ式のLEDバルブ。
【請求項７】
前記伝熱ブラケット（3）上には、ヒートシンク（103）が設けられ、ヒートシンク（103）と伝熱ブラケット（3）との間には、伝熱パッド（2）が設けられ、
前記ヒートシンク（103）は、中間に、内部に発泡金属（37）が充填され、超伝導液を備える超伝導液室が設けられたフィン（34）を備える金属ヒートシンクであり、
超伝導液室両端には、上プラグ（33）と下プラグ（35）とが設けられ、上プラグ（33）または下プラグ（35）には、真空吸管（32）が設けられ、
前記ヒートシンク（103）には、
ケーブルが穿設されたケーブル穴（36）と、ヒートシンク固定ネジ穴（38）とがさらに設けられ、
ヒートシンク固定ネジ穴（38）に接続されたヒートシンク止めネジ（12）は、インナースナップリング（81）と伝熱ブラケットの上の固定用貫通孔を突き抜けることで、LEDバルブヒートシンク（103）を伝熱ブラケット（3）と配光光学レンズ（7）とに固定させる、
ことを特徴とする請求項4に記載のスナップリングレンズ式のLEDバルブ。
【請求項８】
前記光機械モジュール（4）上のLEDチップ外にパッケージ用の透明シリコンのみが設けられ、かつ透明シリコン付きのすべての光機械モジュール（4）の外に、蛍光粉塗布層が設けられたインナーカバー（6）が設けられ、
若しくは、前記光機械モジュール（4）上のLEDチップにはシリコンがパッケージされず、
前記光機械モジュール（4）の外に、蛍光粉が設けられた透明絶縁伝熱液を備えた、薄型凹面構造の弾性インナーカバーである凹状インナーカバー（61）が設置され、前記光機械モジュール（4）上のLEDチップが透明絶縁伝熱液に浸されることを特徴とする請求項4に記載のスナップリングレンズ式のLEDバルブ。
【請求項９】
前記伝熱ブラケット（3）には、接続ピン（17）を備えたオス電気コネクター（11）を含む電気コネクターが設けられ、接続ピン（17）の末端の接続ピン溶接スポット（19）は光機械モジュール（4）に溶接されており、前記オス電気コネクター（11）は汎用型LEDバルブ上のオスコネクター固定穴（22）を突き抜けて固定端（15）により固定されており、オス電気コネクター（11）は、挿入穴付きメス電気コネクター（10）に合わせて接続されており、メス電気コネクター（10）はケーブルに接続され、前記電気コネクターの接続ピンは、2針が電源接続、2針が制御接続される4針構造であり、
前記固定端（15）は溶接リングまたは固定ナットであり、
オス電気コネクター（11）上には、防水ゴムリング（16）を備えた防水ゴムリング嵌合溝（18）がさらに設けられ、
回転を防止するために、オス電気コネクタ（11）上には、滑り止め溝（26）が設けられ、前記伝熱ブラケット（3）の穿孔には対応する突起が設置され、
前記メス電気コネクター（10）上には、3穴フランジが設けられ、3穴フランジとメスコネクター止めネジ（25）とによってヒートシンク（103）若しくは灯具上の伝熱変換板（27）に固定され、且つ、フランジとヒートシンク（103）または灯具上の伝熱変換板（27）との間に固定調節ゴムパッド（24）をさらに設けて防水面の密着性を保証し若しくは前記オス電気コネクター（11）には雄ネジが設けられ、防水ゴムリング（16）を備えたメス電気コネクター（10）上の固定ナット（28）の雌ネジに合わせてメス電気コネクター（10）上に固定され、前記メス電気コネクター（10）上には、防水ゴムリング（16）を備えた嵌合溝が設けられることを特徴とする請求項4に記載のスナップリングレンズ式のLEDバルブ。
【請求項１０】
前記LEDバルブが設けられた実装インターフェースを備える、請求項4に記載のLEDバルブを用いた灯具。
【請求項１１】
前記灯具はLED街路灯であり、金属板材で形成されている実装インターフェースブラケット（103A）を含み、
実装インターフェースブラケット（103A）上には、ヒートシンク付きLEDバルブ（102）を備えた実装インターフェースが設けられ、
実装インターフェースブラケット（103A）はライトポール（108）に実装され、
実装インターフェースブラケット（103A）外には金属またはプラスチックで形成されているランプハウジング（101）が設けられた請求項10に記載の灯具。
【請求項１２】
前記実装インターフェースブラケット（103A）は、
L形ブラケットであり、
L形側面にあるブラケット実装フランジ用実装止めネジ（109）によりライトポール（108）に固定され、
実装インターフェースブラケット（103A）の実装インターフェースにはケーブル穴が設けられ、
前記実装インターフェースブラケットの構造を用いた街路灯は、実装インターフェースブラケット（103A）に設けられ、複数のLEDバルブ（102）を電源と制御回路に接続するハーネスコネクタ（106）をさらに含み、
前記実装インターフェースは、実装インターフェースブラケット（103A）の、LEDバルブ（102）と接触する面と、LEDバルブ（102）に接続される穴とを含む、
ことを特徴とする請求項11に記載の灯具。
【請求項１３】
前記実装インターフェースブラケット（103A）は、中央にブラケット実装穴が設けられる直板状ブラケットであり、
実装インターフェースブラケット（103A）はブラケット実装穴とライトポール固定リング（116）とによりライトポール（108）に取り付けられ、
実装インターフェースブラケット（103A）の実装インターフェース上にはケーブル穴が設けられ、
前記実装インターフェースブラケットの構造を用いた街路灯は、実装インターフェースブラケット（103A）に接続されたライトポール（108）内に設けられて、複数のLEDバルブ（102）を電源と制御回路に接続するハーネスコネクタ（106）をさらに含み、
前記実装インターフェースは、実装インターフェースブラケット（103A）の、LEDバルブ（102）と接触する面と、LEDバルブ（102）に接続される穴とを含む、
ことを特徴とする請求項11に記載の灯具。
【請求項１４】
前記灯具は、LED街路灯であり、
金属板材で形成されているランプハウジング（101）を実装インターフェースとし、
ランプハウジング（101）は、実装インターフェースが設けられている複数枚に折り曲げられているブラケットパネルを含み、
実装インターフェースには、LEDバルブ（102）が設けられ、ランプハウジング（101）は、ライトポール固定子によってライトポール（108）上に固定される請求項10に記載の灯具。
【請求項１５】
ランプハウジング（101）に設置され、複数のLEDバルブ（102）を電源と制御回路に接続するハーネスコネクタ（106）をさらに含み、
前記ランプハウジング（101）の縁には構造強度を増す折り返しが設けられ、
前記実装インターフェースは、前記ランプハウジング（101）の、LEDバルブ（102）と接触する面と、LEDバルブ（102）に接続される穴とを含み、
前記ライトポール固定子は、ライトポール固定ブラケット（112）と、ライトポール固定ブラケットボルト（111）と、補強板（110）とを備え、
前記ライトポール固定ブラケット（112）上部は、ライトポール（108）を接続するためのライトポール固定穴であり、
ライトポール固定ブラケット（112）と補強板（110）はランプハウジング（101）の上下両側に設けられ、
前記ランプハウジング（101）は、ライトポール固定ブラケット（112）と補強板（110）とによってライトポール（108）に固定され、
前記ランプハウジング（101）は、互いに折られて夾角が形成された状態で設置されたブラケットパネルを3枚または2枚含み、
前記ランプハウジング（101）が前記ブラケットパネルを3枚含む場合、前記ライトポール固定ブラケット（112）は、下部を平面とするブラケットであって、ランプハウジング（101）の上側または下側からランプハウジング（101）中央のブラケットパネル上に固定され、
前記ランプハウジング（101）が前記ブラケットパネルを2枚含む場合、ライトポール固定ブラケット（112）はランプハウジング（101）の上側または下側から、夾角が形成された状態で設置されたブラケットパネル上に固定され、前記ライトポール固定ブラケット（112）は下部を三角形とするブラケットであって、逆「V」字型や「V」字型を呈する
ことを特徴とする請求項14に記載の灯具。
【請求項１６】
前記灯具は、LED街路灯であり、
ヒートシンクを灯具主体構造として用い、金属ヒートシンク（103）と、ハーネスコネクタ（106）とを含み、金属ヒートシンク（103）はライトポール（108）に固定され、
金属ヒートシンク（103）は、LEDバルブ（102）を実装するための実装インターフェースを備えたヒートシンクが両側に設けられるライトポール固定スリーブを備え、
実装インターフェース上にLEDバルブ（102）が取り付けられ、
複数のLEDバルブ（102）を電源と制御回路に接続するためのハーネスコネクタ（106）がライトポール固定スリーブに設けられる、
請求項10に記載の灯具。
【請求項１７】
前記ヒートシンクは、
一方側にフィンが設けられ、他方側にLEDバルブ（102）を実装するための実装インターフェースが設けられた基板を備え、基板の他方側にはLEDバルブ（102）から引き出された導線をハーネスコネクター（106）に接続する導線ブラケット（112）が設けられ、
前記実装インターフェースは、ヒートシンクの、LEDバルブ（102）と接触する面と、LEDバルブ（102）に接続される穴を含み、
前記金属ヒートシンク（103）において、
両側のヒートシンクは夾角をなすように設置され、
前記ライトポール固定スリーブは、一端にライトポール閉塞部材（101）が設けられ、他端がライトポール止めネジ（109）によってライトポール（108）に固定されることを特徴とする請求項16に記載の灯具。
【請求項１８】
前記灯具はLED道路灯であり、ヒートシンク付きLEDバルブ（102）が設けられ、外側に金属またはプラスチックで形成されているランプハウジング（101）が設けられ、ライトポール（116）に接続される実装インターフェースブラケット組合せ構成要素を含み、
前記実装インターフェースブラケット組合せ構成要素は、互いにつながった、標準的な管材が分段切断されて形成されている管状ブラケット（108）と、灯具固定フランジ（106）と、ランプハウジングおよびバルブ固定ブラケット（110）とを含み、
ランプハウジングおよびバルブ固定ブラケット（110）には、LEDバルブ（102）を実装するための実装インターフェースが設けられ、
管状ブラケット（108）は、灯具固定フランジ（106）と、ランプハウジングおよびバルブ固定ブラケット（110）とを接続し、
ブラケット組み合わせ構成要素は、灯具固定フランジ（106）によりライトポール（116）に接続される、
請求項10に記載の灯具。
【請求項１９】
前記実装インターフェースは、ランプハウジングおよびバルブ固定ブラケット（110）に位置する、LEDバルブ（102）と接触する面と、LEDバルブ（102）に接続される穴とを含み、
前記ランプハウジングおよびバルブ固定ブラケット（110）は、金属で形成されており、ランプハウジングおよびバルブ固定ブラケット（110）の中央部には管状ブラケット（108）が接続され、
ランプハウジング内に煙突効果を形成して、通風と放熱効果を保証するために、ランプハウジングおよびバルブ固定ブラケット（110）の管状ブラケット（108）接続箇所の周囲に透かし彫りが設けられており、灯具固定フランジ（106）は管状ブラケット（108）の接続箇所にケーブル穴を設ける、ことを特徴とする請求項18に記載の灯具。
【請求項２０】
前記灯具はLEDトンネルライトであり、金属またはプラスチックで形成されているランプハウジング（101）を含み、
ランプハウジング（101）は、両面ヒートシンク（103）を実装する実装インターフェースブラケット板と、LEDトンネルライト全体を固定実装するアンカーボルト穴を含み、
実装インターフェースブラケット板には、両面ヒートシンク（103）を実装する一つ以上の矩形開口が設けられ、
両面ヒートシンク（103）上には、LEDバルブ（102）を備えた実装インターフェースが設けられ、
前記ランプハウジング（101）にはガード板がさらに設けられ、
前記両面ヒートシンク（103）は、両側にフィンが設けられた基板を含み、
基板の一方側に、LEDバルブ（102）を実装するための実装インターフェースが設けられ、
基板実装インターフェース周辺のフィンは、LEDバルブ（102）から発せられる光線を遮らないように、バルブの出光照射角度に基づいて円形若しくは楕円錘状の空間が形成されており、
両面ヒートシンク（103）の、実装インターフェースが設けられた一方側は、矩形開口を貫通し、
前記実装インターフェースは、両面ヒートシンク（103）に位置するLEDバルブ（102）と接触する面と、LEDバルブ（102）に接続される穴とを含む、ことを特徴とする請求項10に記載の灯具。
【請求項２１】
前記灯具は、シーリングライトベース（106）とヒートシンク（103）とを備えるLEDシーリングライトであり、
シーリングライトベース（106）周辺には、シーリングライトベース（106）と天井との間の十分な通風距離を保証するためのベース支持パッド（110）が設けられ、
シーリングライトベース（106）には、ヒートシンクを実装する複数個の開口が設けられて、ヒートシンク（103）が開口に設けられ、
ヒートシンク（103）の下部に、実装インターフェース（AZM）を設けてLEDバルブ（102）を固定実装する、
請求項10に記載の灯具。
【請求項２２】
前記LEDシーリングライトは、
周辺にライトカバー固定クリップ（109）が設けられるシーリングライトカバー（101）をさらに備え、
ライトカバー固定クリップ（109）は、シーリングライトカバー（101）をシーリングライトベース（106）上に実装し、
前記実装インターフェース（AZM）は、ヒートシンク（103）に位置するLEDバルブ（102）と接触する面と、LEDバルブ（102）に接続される穴とを含み、
前記LEDシーリングライトは、
メス電気コネクター（10）、メスコネクター止めネジ（25）、調節ゴムパッド（24）を含む電気コネクター組立品をさらに備え、
前記メス電気コネクター（10）は、LEDバルブ（102）上のオス電気コネクター（11）と互いに接続され、
メスコネクター（10）上には、3穴フランジが設けられ、3穴フランジとメス電気コネクター止めネジ（25）とによってヒートシンク（103）に固定され、かつ、
防水面の密着性を保証するために、フランジとヒートシンク（103）との間には固定調節ゴムパッド（24）がさらに設けられることを特徴とする請求項21に記載の灯具。
【請求項２３】
前記灯具は、伝熱変換板（27）とヒートシンク（103）とを備えたLED蝋燭型ランプであり、
伝熱変換板（27）に実装インターフェース（AZM）を設けてLEDバルブ（102）を固定実装し、伝熱変換板（27）は接着、ネジ接続若しくは係合によって蝋燭型ランプハウジング（101）に接続され、ヒートシンク（103）は伝熱変換板（27）の下方に設けられる請求項10に記載灯具。
【請求項２４】
前記LED蝋燭型ランプは、線管止めネジ（109）によって中間接続部品（110）に固定される線管（108）と、そのネジ山またはライトヘッド止めネジ（111）若しくは直接接着によりヒートシンク103に接続される中間接続部品（110）とをさらに含み、前記実装インターフェースは、伝熱変換板（27）のLEDバルブ（102）と接触する面と、LEDバルブ（102）に接続される穴を含み、
前記ヒートシンク（103）は内部中空の柱状ヒートシンクであって、
ヒートシンク（103）は円柱の最大外径において内側へ向かってヒートシンク基板を設け、円柱中心へ放射状に発射された状態でフィンが形成されており、
前記柱状ヒートシンクには封閉する円弧に沿って基板を厚さとする2層以上の分断溝が開けられており、
前記LED蝋燭型ランプは、
メス電気コネクター（10）、メスコネクター止めネジ（25）、固定調節ゴムパッド（24）を含む電気コネクター組立品をさらに備え、
前記メス電気コネクター（10）がLEDバルブのオス（11）に合わせて接続され、メス電気コネクター（10）には3穴フランジが設けられ、3穴フランジ用メスコネクター止めネジ（25）によって伝熱変換板（27）に固定され、
防水面での密着性を保証するために、フランジと伝熱変換板（27）との間に固定調節ゴムパッド（24）がさらに設けられ、
LEDバルブ（102）実装の際にオス電気コネクター（11）とメス電気コネクター（10）とが突き合わせられた状態でLEDバルブ（102）が固定されており、
メス電気コネクター（10）によって引き出された導線は線管（108）を通じて電源と制御回路に接続されることを特徴とする請求項23に記載の灯具。
【発明の詳細な説明】
【技術分野】
【０００１】
本発明は、汎用型LEDバルブの構成方法、スナップリングレンズ式のLEDバルブおよびLED灯具に関し、LED照明技術分野に属する。
【背景技術】
【０００２】
LED半導体照明は新世代の照明技術として、光電変換効率が高く、光源方向が制御し易く、照明時間と方法が制御し易く、光源演色性が高く、合理的な設計で比較的高い力率を有するなどという、その他の従来の照明技術とは比較にならない、5つの省エネルギーのメリットを持ち、全世界の投資者と各国政府の強力な支持を得ている。現在のLED照明バルブの発光効率は概ね70LM/Wを超えることが可能で、従来の省エネルギーランプよりも省エネルギーの利点がある。理論上、緑色LED発光効率は683LM/Wに達することができ、白色LEDの理論上の効率も182.45LM/Wにも達することができるため、LED照明における効率向上の空間は非常に大きい。
【０００３】
現行の高出力のLED照明製品設計において、特に高出力のLEDランプは、放熱が原因で、高出力LEDランプの構成の際に、LED光モジュール、駆動電源および灯具の三者が一体となるような設計が採用されており、つまり、LED光モジュール、駆動電源と灯具などの部品はセット生産しなくてはならず、「LEDには明かりがあるが、バルブはない」という状態を形成した。これは、LED照明製品にとって、製造コストが高い、使用が不便である、メンテナンスが困難であるなどの一連の致命的な問題をもたらすことになる。まずは、製造上では、全国的ないし世界的に統一された標準的な生産を実現できず、製品規格が多く、ロットは少なく、価格は高くなる。次に、各メーカーの製品はさまざまで、互いに通用できず、互換性がない。第三に、製品故障の際にLED光モジュール、駆動電源、灯具など全体を取り外してメンテナンスしなければならず、メンテナンスが非常に不便で、故障が拡大しやすく、メンテナンスが長引く、メンテナンス費用が高騰するなどの欠陥がある。これらの欠陥は、LED照明の使用普及を大幅に制限し、LED照明製品普及における足かせとなるものである。
【発明の概要】
【発明が解決しようとする課題】
【０００４】
本発明は、汎用型LEDバルブの構成方法、スナップリングレンズ式のLEDバルブおよびLED灯具を提供することを目的とする。それ自体の構造は簡単で安定し、実装しやすく、ヒートシンク付きであって単独で稼働でき、灯具付帯のヒートシンクに実装してもよく、使用上において柔軟性があり、本発明では、LEDバルブと照明制御などの製品に、生産上と使用上における各自の独立を実現し、LED照明製品の生産工程を大幅に減少させ、生産のロット化が進み、LED省エネ照明製品の産業化に有利である。
【課題を解決するための手段】
【０００５】
本発明の技術案によれば、汎用型LEDバルブの構成方法は、レンズスナップリングをバルブの支持主体とし、LEDバルブの光機械コア構成要素を支持して、配光光学レンズをサブ支持構造とするとともにLED光機械コア構成要素の実装ベースとし、若しくはインナースナップリングを配置してLEDバルブヒートシンクの実装ベースとし、レンズスナップリングには、バルブ実装のための実装フランジが設けられ、前記LEDバルブ光機械コア構成要素は、伝熱ブラケット、光機械モジュール、インナースナップリング、配光光学レンズとからなり、光機械モジュール外にインナーカバーが設けられ、伝熱ブラケットには電気コネクターが設けられており、前記光機械モジュールは、ダイボンドとパッケージとによって光機械プレート、LEDチップセットと関連の配線とで構成され、若しくは給電駆動チップがさらに集積されることを特徴とする。光機械プレートは規格化された伝熱基板である。規格化はどのように解釈するか。
【０００６】
前記汎用型LEDバルブの構成方法において、前記レンズスナップリング直径は、バルブ外径Dであり、バルブ外径Dと、構成されたLEDバルブパワー上限Wは、W=l.1812e0.0361Dの関係となり、W=l.1812e0.0361Dという関係曲線上において、Dは離散的数値を取り複数の一定のバルブ外径D寸法のLEDバルブを構成することでLEDバルブの互換性および通用性を高め、前記バルブ外径Dには、W=l.1812e0.0361Dという関係曲線上において、Dは、20mmを下限とし、130mmを上限とし、10mm毎に1段階として、12段階に分けて有限量のバルブ外径規格を構成し、少量のバルブ外径規格でLEDバルブの互換性と通用性をさらに高め、前記レンズスナップリングの実装フランジ上のフランジ固定穴は、バルブ外径Dから止めネジナット直径を引いてから、0.8〜4mmのエッジ値をさらに引いた直径D1上に均等分布し、前記LEDバルブの灯具上のヒートシンクインターフェース開口直径D2は、バルブ外径Dから2倍の止めネジナット直径を引いて、D1に対応した2倍のエッジ値を引いたものである。前記LEDバルブの実装インターフェースは、灯具のLEDバルブと接触する面と、LEDバルブに接続される穴を含む。
【０００７】
前記汎用型LEDバルブの構成方法において、前記配光光学レンズ内には、階段を備えた凹溝が設けられ、階段内に、伝熱ブラケットと光機械モジュールとが互いに組み合わせられた一体構造を接着することにより、配光光学レンズと伝熱ブラケットとの間の密封の防水空間内に光機械モジュールを密閉し、或は、光機械モジュール外をインナースナップリングでさらに取り囲んで、若しくは配光光学レンズの凹溝縁とインナーカバーとの間にインナーリングカバーを設けて、伝熱ブラケットと配光光学レンズの凹溝との間の密封の防水空間内に光機械モジュールを密閉し、インナースナップリングは若しくは配光光学レンズとさらに協働してLEDバルブヒートシンクの実装ベースとされ、インナースナップリングは、上端が伝熱ブラケットに接着し、下端に、防水の役割を果たすとともに、ヒートシンク止めネジが伝熱ブラケットを押しつぶすことを防ぐための押縁を備えたヒートシンク固定用貫通孔が設けられ、配光光学レンズと伝熱ブラケットの厚さを調整することにより、レンズスナップリング実装の際に、伝熱ブラケットがヒートシンクにしっかりと貼り付けられるようにし、または前記伝熱ブラケットと光機械プレートは同一の非金属伝熱材を用いて一体的に構成され、前記光機械プレートは金属材料伝熱基板で、PCBプリント配線基板技術を通じて回路を得るか、若しくは非金属材料伝熱基板で、その上に銀ペーストプリント回路技術を用いて回路を嵌合する。この構造では、LED光源チップからヒートシンクまでの構造がより簡単になり、チップの発した熱量は素速く光機械プレート上に伝導し分散し、LEDチップのジャンクション温度の下降、LED光源の使用寿命を延ばすのに有利である。
【０００８】
前記汎用型LEDバルブの構成方法において、前記伝熱ブラケット上には、ヒートシンクが設けられ、ヒートシンクと伝熱ブラケットとの間には、伝熱パッドが設けられ、前記ヒートシンクは、メッシュ状の非金属ヒートシンクと架空状の伝熱変換ブラケットとを含む非金属ヒートシンクアセンブリーであり、非金属ヒートシンクと伝熱変換ブラケットは極細の非金属伝熱材（300メッシュより細い酸化アルミニウム、炭化ケイ素等）で低温押出成形を経てメッシュ状となってから高温焼結して得られ、両者の接触面は伝導接着剤を塗布してから一体的に接着され、伝熱変換ブラケットは、非金属ヒートシンクを架空することで、空気を伝熱変換ブラケットから被金属ヒートシンクのメッシュ内に進入させる。非金属ヒートシンクの固定ネジ穴内にゴムスリーブ或はネジ固定のりを充填することで止めネジを接続し、非金属ヒートシンク外にヒートシンクカバーを設置し（ヒートシンクカバーは、金属材料打抜きやプラスチックダイカストで製造してもよい）、若しくは、前記ヒートシンクは中空構造が採用された金属ヒートシンクであり、金属ヒートシンクと伝熱ブラケットとの間には伝熱パッドが設けられ、中空部分に発泡金属が充填されて、中空構造内に超伝導液が注入され、中空構造は上下プラグによって絞り嵌め圧入またはネジシールグルーネジ込みを用いて密閉空間を形成してその密閉空間を吸い出して真空とし、ヒートシンク止めネジはインナースナップリング上の固定貫通孔を突き抜けることで、非金属ヒートシンクまたは金属ヒートシンクのヒートシンク固定ネジ穴に接続される。
【０００９】
前記汎用型LEDバルブの構成方法において、前記光機械モジュール上のLEDチップ上に蛍光粉を塗布してから透明シリコンで覆い、若しくは、LEDチップの数量を、植物が必要とする青色光、赤光比例にて配置し、溶接されたLEDチップは透明シリコンパッケージのみで覆われい、或は、前記光機械モジュール上のLEDチップに透明シリコンのみでパッケージされ、そしてパッケージされた光機械モジュール外には、内側に蛍光粉が塗布されたインナーカバーが設置され、或は、前記光機械モジュール上のLEDチップはゴムをパッケージされず、光機械モジュール外に、蛍光粉を設けた透明絶縁伝熱液の付いた、薄型凹面構造の弾性インナーカバーである凹状インナーカバーが設けられる。
【００１０】
前記光機械モジュール上のLEDチップ上に蛍光粉を塗布してから透明シリコンで覆い、若しくは、光機械モジュール上のLEDチップの数量を、植物が必要とする青色光、赤光比例にて配置し、溶接されたLEDチップは透明シリコンパッケージのみで覆われ、光機械モジュール上のLEDチップは従来のパッケージ技術案を用いてパッケージされてもよく、つまりLEDチップ上に蛍光粉を塗布してから透明シリコンで覆い、インナーカバーは使用しない。農業生産用照明に用いる場合、光機械モジュール上のLEDチップの数量は植物が必要とする青色光、赤光比例にて配置され、溶接されたLEDチップは透明シリコンパッケージのみで覆われる。
【００１１】
前記汎用型LEDバルブの構成方法において、前記光機械モジュール上のLEDチップは、透明シリコンでパッケージされ、そしてパッケージされた光機械モジュール外に、内側に蛍光粉が塗布されたインナーカバーが設置され、この構造により蛍光粉は、チップに直接塗布される場合よりもより均等であり、蛍光粉がLED放熱チップから離れ、LEDチップは、相対的に高い温度の下で稼働でき、LEDの動作条件を改善し、LEDバルブの光減衰を低減させるのに有効であり、LEDの出光はよりよく、また、蛍光粉の用量が大幅に増加することもない。若しくは、前記光機械モジュール上のLEDチップはゴムパッケージされず、光機械モジュール外に、蛍光粉を設けた透明絶縁伝熱液の付いた、薄型凹面構造の弾性インナーカバーである凹状インナーカバーが設けられ、この構造では、LEDが通電発熱する際に、透明絶縁伝熱液が熱を受けて流動しチップの発熱を取り去り、熱量を、比較的大きな面積においてヒートシンクと交換し、従来の技術における、LEDチップおよび周囲の蛍光粉の一部が高熱になることを回避し、LED光減衰を効率的に低減し、かつ透明絶縁伝熱液が受熱膨張する際、内側が凹状のインナーカバーが外へ突出し、容積を増やして液体の膨張した後の体積を受け、液体膨張によりインナーカバーの密封性の効果がなくなることを回避する。
【００１２】
前記汎用型LEDバルブの構成方法において、前記伝熱ブラケットに、オスコネクター固定穴を設け、接続ピン付きオス電気コネクターをオスコネクター固定穴に挿入し、バルブ内部に挿入された部分を固定端として固定し、接続ピン末端が汎用型LEDバルブ内の光機械プレートと溶接されることで汎用型LEDバルブの外面上に簡単な電気接続口を形成し、実装時にオス電気コネクターを、ケーブル付きメス電気コネクターに接続させてから汎用型LEDバルブを固定するだけで、汎用型LEDバルブの電気的接続を実現でき、前記オス電気コネクターの伝熱ブラケット上の穴の偏心位置およびオス電気コネクター固定端の寸法を限定することにより、LEDバルブ内の光機械プレートの、LEDチップと駆動電源チップの配置需要および位置決め需要が満たされ、前記接続ピン付き電気コネクターは、2針が電源接続、2針が制御接続される4針構造であって、前記固定端は、ナット固定方式または溶接リング固定方式であって、固定端がナット固定方式の場合、オス電気コネクターと伝熱ブラケットとの間に防水ゴムリングを設けて防水し、回転を防止するために、オス電気コネクター上に滑り止め溝が設けられ、前記伝熱ブラケットの穿孔に、対応する突起が設けられ、前記メス電気コネクターには、3穴フランジが設けられ、止めネジによって灯具ヒートシンクに固定され、メス電気コネクターとヒートシンクとの間に調節ゴムパッドを設置して厚さを調整することで、防水面の密着性を保証し、若しくは、雄ネジを、オス電気コネクターに設けて、防水ゴムリングの設けられたメス電気コネクターにある、固定ナットの雌ネジと合わせて固定し防水し、メス電気コネクターには、防水ゴムリングを備えて防水を行う嵌合溝が設けられる。
【００１３】
前記方法に基づいて構成されたスナップリングレンズ式のLEDバルブは、実装フランジ付きレンズスナップリングを含み、レンズスナップリング内には少なくとも伝熱ブラケット、光機械モジュール、配光光学レンズが順に設けられ、配光光学レンズ上に凹溝が設けられ、かつ凹溝内に、伝熱ブラケットが接着された階段が設けられ、伝熱ブラケットに、光機械モジュールが接着されオス電気コネクターを固定し、光機械モジュール外にはインナーカバーが設けられ、配光光学レンズの凹溝エッジとインナーカバーとの間には若しくはインナーリングカバーが設けられ、光機械モジュールは伝熱ブラケットと配光光学レンズとの間の密封防水空間内に封止され、かつレンズスナップリング実装の際に、伝熱ブラケットの上面にヒートシンクがしっかりと貼り付けられることを確保でき、或は、光機械モジュール外はインナースナップリングで取り囲まれ、インナースナップリングは、上部が伝熱ブラケットに接着し、下端に、防水の役割を果たすとともにヒートシンク止めネジが伝熱ブラケットを押しつぶすことを防ぐための押縁が設けられるヒートシンク固定用貫通孔が設けられ、または前記伝熱ブラケットと光機械プレートは同一の非金属伝熱材を用いて一体的に構築され、前記光機械プレートは金属材料伝熱基板で、PCBプリント配線基板技術を通じて回路を得るか、若しくは非金属材料伝熱基板で、その上に銀ペーストプリント回路技術を採用し回路を嵌合することを特徴とする。
【００１４】
前記スナップリングレンズ式のLEDバルブにおいて、前記伝熱ブラケットには、ヒートシンクが設けられ、前記ヒートシンクは、非金属ヒートシンクとそれよりも下方の架空状の伝熱変換ブラケットとを含む非金属ヒートシンクアセンブリーであり、非金属ヒートシンクのヒートシンク固定ネジ穴内にゴムスリーブ或はネジ固定のりを充填することで止めネジを接続し、非金属ヒートシンク外にヒートシンクカバーが設置され、若しくは、前記ヒートシンクは、金属ヒートシンクであって、金属ヒートシンクと伝熱ブラケットとの間には伝熱パッドが設けられ、前記金属ヒートシンクは、中間に、内部に発泡金属が充填され、超伝導液を備える超伝導液室が設けられたフィンを備え、超伝導液室両端には、上プラグと下プラグとが設けられ、上プラグまたは下プラグには、真空吸管が設けられ、前記ヒートシンクには、ケーブルが穿設されたケーブル穴と、ヒートシンク固定ネジ穴とが更に設けられ、ヒートシンク固定ネジ穴に接続されたヒートシンク止めネジは、インナースナップリングと伝熱ブラケットの上の固定用貫通孔を突き抜けることで、LEDバルブヒートシンクを伝熱ブラケットと配光光学レンズとに固定させる。
【００１５】
前記光機械モジュール上のLEDチップ外にパッケージ用の透明シリコンのみが設けられ、かつ透明シリコン付きのすべての光機械モジュールの外に、蛍光粉塗布層が設けられたインナーカバーが設けられ、若しくは、前記光機械モジュール上のLEDチップにはシリコンがパッケージされず、前記光機械モジュールの外に、蛍光粉が設けられた透明絶縁伝熱液を備えた、薄型凹面構造の弾性インナーカバーである凹状インナーカバーが設置され、前記光機械モジュール上のLEDチップが透明絶縁伝熱液に浸される。
【００１６】
前記スナップリングレンズ式のLEDバルブにおいて、前記伝熱ブラケットには、接続ピンを備えたオス電気コネクターを含む電気コネクターが設けられ、接続ピンの末端の接続ピン溶接スポットは光機械モジュールに溶接され、前記オス電気コネクターは汎用型LEDバルブ上のオスコネクター固定穴を突き抜けてから固定端により固定され、オス電気コネクターは、挿入穴付きメス電気コネクターに合わせて接続され、メス電気コネクターはケーブルに接続され、前記電気コネクター接続ピンは、2針が電源接続、2針が制御接続される4針構造である。
【００１７】
前記スナップリングレンズ式のLEDバルブにおいて、前記固定端は溶接リングまたは固定ナットであって、オス電気コネクター上には、防水ゴムリングを備えた防水ゴムリング嵌合溝がさらに設けられ、回転を防止するために、オス電気コネクター上には、滑り止め溝が設けられ、前記伝熱ブラケットの穿孔には対応する突起が設置され、前記メス電気コネクター上には、3穴フランジが設けられ、3穴フランジとメスコネクター止めネジとによってヒートシンク若しくは灯具上の伝熱変換板に固定され、且つ、フランジとヒートシンクまたは灯具上の伝熱変換板との間に固定調節ゴムパッドをさらに設けて防水面の密着性を保証し、若しくは、前記オス電気コネクターには、雄ネジが設けられ、防水ゴムリングを備えたメス電気コネクターにある固定ナットの雌ネジに合わせてメス電気コネクターに固定され、前記メス電気コネクターには、防水ゴムリングを備えた嵌合溝が設けられる。
【００１８】
一方、本発明では、前記LEDバルブを使用した多種類の灯具をさらに提供する。本発明の灯具の構造は簡単で、製造コストが低く、実装、使用、メンテナンスは早く、安く、便利であり、故障が拡大しにくく、LEDランプのバルブ、灯具と照明制御製品の、生産と使用上の独立を実現し、生産工程を大幅に低減させ、生産のロット生産を実現し、LED省エネルギー照明製品の応用と産業大規模化に有利である。
【００１９】
金属板材を打抜き成形した実装インターフェースブラケットを含み、実装インターフェースブラケット上には、ヒートシンク付きLEDバルブを備えた実装インターフェースが設けられ、実装インターフェースブラケットはライトポールに実装され、実装インターフェースブラケット外には金属打抜き成形またはプラスチックダイカストされたランプハウジングが設けられる、実装インターフェースブラケット構造を用いたLED街路灯。
【００２０】
前記実装インターフェースブラケット構造を用いた街路灯では、前記実装インターフェースブラケットはL形ブラケットであり、L形側面にあるブラケット実装フランジ用実装止めボルトによりライトポールに固定され、実装インターフェースブラケットの実装インターフェースにはケーブル穴が設けられ、前記ハーネスコネクターは実装インターフェースブラケットに設けられ、前記実装インターフェースは、実装インターフェースブラケットの、LEDバルブと接触する面と、LEDバルブに接続される穴とを含む。
【００２１】
前記実装インターフェースブラケット構造を用いた街路灯では、前記実装インターフェースブラケットは、中央にブラケット実装穴が設けられる直板状ブラケットであり、実装インターフェースブラケットはブラケット実装穴とライトポール固定リングとによりライトポールに取り付けられ、実装インターフェースブラケットの実装インターフェースにはケーブル穴が設けられ、前記実装インターフェースブラケット構造を用いた街路灯は、実装インターフェースブラケットに接続されたライトポール内に設けられて、複数のLEDバルブを電源と制御回路に接続するハーネスコネクターをさらに含み、前記実装インターフェースは、実装インターフェースブラケットの、LEDバルブと接触する面と、LEDバルブに接続される穴とを含む。
【００２２】
前記実装インターフェースブラケット構造を用いた街路灯では、前記実装インターフェース上の6つのフランジ固定穴は、LEDバルブ外径Dから止めネジナット直径を引いてから、0.8〜4mmのエッジ値をさらに引いた直径D1上に均等分布する。
【００２３】
ランプハウジングを実装インターフェースブラケット構造として用いるLED街路灯は、金属板材で打抜き成形されたランプハウジングを含むものであって、ランプハウジングは、実装インターフェースを設ける複数枚に折り曲げられたブラケットパネルを含み、実装インターフェースには、LEDバルブが設けられ、ランプハウジングは、ライトポール固定子によってライトポールに固定される。
【００２４】
ランプハウジングを実装インターフェースブラケット構造として用いた前記LED街路灯は、ランプハウジング上に設置され、複数のLEDバルブを電源と制御回路に接続するハーネスコネクターを含む。
【００２５】
ランプハウジングを実装インターフェースブラケット構造として用いた前記LED街路灯では、前記ランプハウジングの縁には構造強度を増す折り返しが設けられ、前記実装インターフェースは、前記ランプハウジングの、LEDバルブと接触する面と、LEDバルブに接続される穴とを含み、前記ライトポール固定ブラケット上部は、ライトポールを接続するためのライトポール固定穴である。
【００２６】
ランプハウジングを実装インターフェースブラケット構造として用いた前記LED街路灯では、前記ライトポール固定子は、ライトポール固定ブラケットと、ライトポール固定ブラケットボルトと、補強板とを備え、ライトポール固定ブラケットと補強板はランプハウジングの上下両側に設けられ、前記ランプハウジングは、ライトポール固定ブラケットと補強板とによってライトポールに固定され、前記ランプハウジングは、互いに折られて夾角をなすように設置されたブラケットパネルを3枚含み、前記ライトポールブラケットは、下部を平面とするブラケットであって、ランプハウジングの上側または下側からランプハウジング中央のブラケットパネル上に固定され、前記ランプハウジングは若しくは互いに折られて夾角をなすように設置されたブラケットパネルを2枚含み、ライトポールブラケットはランプハウジングの上側または下側から夾角をなすように設置されたブラケットパネル上に固定され、前記ライトポールブラケットは下部を三角形とするブラケットであって、逆「V」字型や「V」字型を呈する。
【００２７】
ランプハウジングを実装インターフェースブラケット構造として用いた前記街路灯では、前記実装インターフェースには、LEDバルブを固定するための6つのフランジ固定穴と、LEDバルブが実装インターフェースを突き抜けるためのヒートシンクインターフェース開口と、が設けられ、前記6つのフランジ固定穴は、LEDバルブ外径Dから止めネジナット直径を引いてから、0.8〜4mmのエッジ値をさらに引いた直径D1上に均等分布し、前記ヒートシンクインターフェース開口直径D2は、バルブ外径Dから2倍の止めネジナット直径を引いて、D1に対応した2倍のエッジ値を引いたものである。
【００２８】
押出型ヒートシンクを灯具主体構造として用いたLED街路灯は、押出工程によって成形された金属押出型ヒートシンクと、ハーネスコネクターとを含み、押出型ヒートシンクは、ライトポールに固定され、押出型ヒートシンクは、LEDバルブを実装するための実装インターフェースを備えたヒートシンクが両側に設けられるライトポール固定スリーブを備え、実装インターフェースにLEDバルブが取り付けられ、複数のLEDバルブを電源と制御回路に接続するためのハーネスコネクターがライトポール固定スリーブに設けられる。
【００２９】
前記押出型ヒートシンクを灯具主体構造として用いたLED街路灯では、前記ヒートシンクは、一方側にフィンが設けられ、他方側にLEDバルブを実装するための実装インターフェースが設けられた基板を備え、基板の他方側にはLEDバルブから引き出された導線をハーネスコネクターに接続する導線ブラケットが設けられる。
【００３０】
押出型ヒートシンクを灯具主体構造として用いた前記LED街路灯において、前記実装インターフェースは、ヒートシンクの、LEDバルブに接続される面と、LEDバルブと接続される穴とを含む。
【００３１】
押出型ヒートシンクを灯具主体構造として用いた前記LED街路灯では、前記押出型ヒートシンクにおいて、両側のヒートシンクは夾角をなすように設置され、前記ライトポール固定スリーブは、一端にライトポール閉塞部材が設けられ、他端がライトポール止めネジによってライトポール上に固定される。
【００３２】
押出型ヒートシンクを灯具主体構造として用いた採用する前記LED街路灯では、前記ヒートシンクの実装インターフェース上の6つのフランジ固定穴は、LEDバルブ外径Dから止めネジナット直径を引いてから、0.8〜4mmのエッジ値をさらに引いた直径D1上に均等分布する。
【００３３】
本実施の形態の灯具は、一つ押出型ヒートシンクにヒートシンクとバルブ実装ブラケットの両者を組み合わせ、LEDバルブおよびその他のすべての補助部品は、押出型ヒートシンク上に全て集中して実装されるので、構造が簡単で、製造コストは低く、実装・使用・メンテナンスに便利である。本発明は稼働の際、ヒートシンクのすべてのフィンが地表と垂直になり、垂直に下降する埃はフィンの上に積み重ならない。本発明のヒートシンクの放熱面積は大きく、複数個のLEDバルブを同時に用いて押出型ヒートシンク上に分散し、押出型ヒートシンクの各部位はいずれも熱源に近く、放熱金属の利用効率は非常に高く、各グラムの金属はほぼ押出型ヒートシンクの組成部分となり、全体的な金属用量は、従来のLEDバルブのヒートシンクの50%ほどの用量に過ぎず、金属材の使用量を大幅に下降させる。本発明の灯具における二つのヒートシンクは異なる展開角度を形成することができ、これにより、本発明は、実用的、美観、個性化といった特徴を有する。
【００３４】
実装インターフェースブラケット組み合わせ構成要素を用いたLED道路灯は、ヒートシンク付きLEDバルブが設けられ、外側に金属打抜き成形またはプラスチックダイカストされたランプハウジングが設けられ、ライトポールに接続される実装インターフェースブラケット組み合わせ構成要素を含み、前記実装インターフェースブラケット組み合わせ構成要素は、互いにつながった、標準的な管材を分段切断してなる管状ブラケットと、灯具固定フランジと、ランプハウジングおよびバルブ固定ブラケットとを含み、ランプハウジングおよびバルブ固定ブラケットには、LEDバルブを実装するための実装インターフェースが設けられ、管状ブラケットは、灯具固定フランジと、ランプハウジングおよびバルブ固定ブラケットとを接続し、ブラケット組み合わせ構成要素は、灯具固定フランジによりライトポールに接続される。
【００３５】
実装インターフェースブラケット組み合わせ構成要素を用いた前記LED道路灯では、前記実装インターフェースは、ランプハウジングおよびバルブ固定ブラケットに位置する、LEDバルブと接触する面と、LEDバルブに接続される穴とを含み、前記ランプハウジングおよびバルブ固定ブラケットは、金属打抜きで成形され、ランプハウジングおよびバルブ固定ブラケットの中央部には管ブラケットが接続され、ケーブルの通過に便宜を図り、ランプハウジング内に煙突効果を形成して、通風と放熱効果を保証するために、ランプハウジングおよびバルブ固定ブラケットの管状ブラケット接続箇所の周囲に透かし彫りを設け、灯具固定フランジは管状ブラケットの接続箇所周囲にケーブル穴を設ける。
【００３６】
実装インターフェースブラケット組み合わせ構成要素を用いた前記LED道路灯では、前記ライトポールに、点字穴が設けられ、ライトポールは折り曲げられ、内部にLEDバルブを実装して、装飾として発光させることが可能である。
【００３７】
実装インターフェースブラケット組み合わせ構成要素を用いた前記LED道路灯では、前記実装インターフェース上の6つのフランジ固定穴は、LEDバルブ外径Dから止めネジナット直径を引いてから、0.8〜4mmのエッジ値をさらに引いた直径D1上に均等分布する。
【００３８】
ランプハウジングを実装インターフェースブラケット組み合わせ構成要素として用いるLEDトンネルライトは、金属打抜き成形またはプラスチックダイカストされたランプハウジングを含み、ランプハウジングは、両面ヒートシンクを実装する実装インターフェースブラケット板と、LEDトンネルライト全体を固定実装するアンカーボルト穴を含み、実装インターフェースブラケット板には、両面ヒートシンクを実装する一つ以上の矩形開口が設けられ、両面ヒートシンク上には、LEDバルブを備えた実装インターフェースが設けられる。
【００３９】
両面ヒートシンクとランプハウジングブラケット構造を用いた前記LEDトンネルライトでは、前記ランプハウジングにはガード板がさらに設けられる。
【００４０】
両面ヒートシンクとランプハウジングブラケット構造を用いた前記LEDトンネルライトでは、前記両面ヒートシンクは、両側にフィンが設けられた基板を含み、基板の一方側に、LEDバルブを実装するための実装インターフェースが設けられ、基板実装インターフェース周辺のフィンは、LEDバルブから発せられる光線を遮らないように、バルブの出光照射角度に基づいて円若しくは楕円の円錘形状の空間を切削し出し、両面ヒートシンク（103）の、実装インターフェースが設けられた一方側は、矩形開口を貫通し、前記実装インターフェースは、両面ヒートシンクに位置するLEDバルブと接触する面と、LEDバルブに接続される穴とを含む。
【００４１】
両面ヒートシンクとランプハウジングブラケット構造を用いた前記LEDトンネルライトでは、前記実装インターフェース上の6つのフランジ固定穴は、LEDバルブ外径Dから止めネジナット直径を引いてから、0.8〜4mmのエッジ値をさらに引いた直径D1上に均等分布する。
【００４２】
多光源LEDシーリングライトは、シーリングライトベースとヒートシンクとを備えるシーリングライト灯具を含み、シーリングライトベース周辺には、シーリングライトベースと天井との間の十分な通風距離を保証するためのベース支持パッドが設けられ、シーリングライトベースには、ヒートシンクを実装する複数個の開口が設けられて、ヒートシンクが開口に設けられ、ヒートシンクの下部に、実装インターフェースを設けてLEDバルブを固定実装する。
【００４３】
前記多光源LEDシーリングライトにおいて、前記シーリングライト灯具は、周辺にラライトカバー固定クリップが設けられるシーリングライトカバーをさらに備え、ライトカバー固定クリップは、シーリングライトカバーをシーリングライトベースに実装し、前記実装インターフェースは、ヒートシンクに位置するLEDバルブと接触する面と、LEDバルブに接続される穴とを含む。
【００４４】
前記多光源LEDシーリングライトにおいて、前記シーリングライトベースの開口周辺には、蚊やその他の虫類の進入を防止するためにメッシュが貼り付けられたA通風穴が設けられ、前記シーリングライトカバー周囲は全て、蚊やその他の虫類の進入を防止するためにメッシュが貼り付けられたB通風穴が設けられ、外部からの空気は、B通風穴から入って、A通風穴から出ることにより対流放熱効果に達することができる。
【００４５】
前記多光源LEDシーリングライトにおいて、前記シーリングライト灯具は、メス電気コネクター、メスコネクター止めネジ、調節ゴムパッドを含む電気コネクター組立品をさらに備え、前記メス電気コネクターは、LEDバルブ上のオス電気コネクターと互いに接続され、メスコネクター上には、3穴フランジが設けられ、3穴フランジとメス電気コネクター止めネジとによってヒートシンクに固定され、かつ、防水面の密着性を保証するために、フランジとヒートシンクとの間には固定調節ゴムパッドがさらに設けられる。
【００４６】
前記多光源LEDシーリングライトにおいて、前記ヒートシンクの実装インターフェース上の6つのフランジ固定穴は、LEDバルブ外径Dから止めネジナット直径を引いてから、0.8〜4mmのエッジ値をさらに引いた直径D1上に均等分布する。
【００４７】
蝋燭型ランプは、伝熱変換板とヒートシンクとを備えた蝋燭型ランプ灯具を備え、伝熱変換板に実装インターフェースを設けてLEDバルブを固定実装し、伝熱変換板は接着、ネジ接続若しくは係合によって蝋燭型ランプハウジングに接続され、ヒートシンクは伝熱変換板の下方に設けられる。
【００４８】
前記LED蝋燭型ランプにおいて、前記蝋燭型ランプ灯具は、線管止めネジによって中間接続部品に固定される線管と、そのネジ山またはライトヘッド止めネジ若しくは直接接着することによりヒートシンクに接続される中間接続部品とをさらに含み、前記実装インターフェースは、伝熱変換板上のLEDバルブと接触する面、LEDバルブに接続される穴を含む。
【００４９】
前記LED蝋燭型ランプにおいて、前記ヒートシンクは内部中空の柱状ヒートシンクであって、ヒートシンクは円柱の最大外径において内側へ向かってヒートシンク基板を設け、円柱中心へ放射状に発射するようにフィンを形成し、前記柱状ヒートシンクは封閉する円弧に沿って基板を厚さとし2層以上の分断溝を開け、ヒートシンクが熱を受けた後、外部からの空気が分断溝を通じてヒートシンク中心へ流れ対流を形成し、冷却効果に達する。
【００５０】
前記LED蝋燭型ランプでは、前記蝋燭型ランプ灯具は、メス電気コネクター、メスコネクター止めネジ、固定調節ゴムパッドを含む電気コネクター組立品をさらに備え、前記メス電気コネクターがLEDバルブのオスに合わせて接続され、メス電気コネクターには3穴フランジが設けられ、3穴フランジ用メスコネクター止めネジによって伝熱変換板に固定され、防水面での密着性を保証するために、フランジと伝熱変換板との間に固定調節ゴムパッドがさらに設けられ、LEDバルブ実装の際にオス電気コネクターとメス電気コネクターとを突き合わせてからLEDバルブを固定するだけでLEDバルブの電気的接続を実現でき、メス電気コネクターによって引き出された導線は線管を通じて電源と制御回路に接続される。
【００５１】
前記LED蝋燭型ランプでは、前記電気コネクターメスによって引き出された導線は、或はヒートシンクの中空部分に設けられた駆動電源に接続される。
【００５２】
前記LED蝋燭型ランプでは、前記蝋燭型ランプの灯具外には、ばね固定クリップによって中間接続部品上に固定されるランプアウターカバーが設けられる。
【００５３】
前記LED蝋燭型ランプでは、前記伝熱転換板の実装インターフェース上の6つのフランジ固定穴は、LEDバルブ外径Dから止めネジナット直径を引いてから、0.8〜4mmのエッジ値をさらに引いた直径D1上に均等分布される。
【発明の効果】
【００５４】
従来技術との比較において、本発明では、レンズスナップリングをバルブ全体の支持部材とし、次にレンズスナップリング内において、インナースナップリングを補助支持とし、最終的にインナースナップリングと、インナースナップリングと互いに貼り付けられる光機械モジュール、伝熱ブラケット構造LEDバルブ光源体構造とを形成したため、構造は非常に安定している。さらに、本発明の光機械モジュールは、インナースナップリングと、伝熱ブラケットと、レンズとに囲まれた封閉空間にパッケージされ、その他の防水部品をそれ以上加えない場合におけるバルブの防水性能を大きく高める。本発明のスナップリングレンズ式を用いたLEDバルブで組み立てられた灯具は、簡単容易で、柔軟に変化するので、LEDランプのバルブ、灯具と照明制御製品の、生産と使用上の独立を実現し、生産工程を大幅に減少させ、生産のロット生産を実現し、LED省エネルギー照明製品の産業化に有利である。さらに、本発明ではLEDバルブ上に、接続ピン付きオス電気コネクターを穴に開口方式で固定しつつ、バルブ内部から回線溶接と機械的固定を行うことにより、汎用型LEDバルブ全体の外部構造は簡潔になり、周辺は平坦であって、LEDバルブ外にケーブルが付くことがない。バルブ実装時には、オス電気コネクターをケーブル上のメス電気コネクターに突き合わせ接続してLEDバルブを機械的固定するだけでよく、同時に汎用型LEDバルブの確実な電気的接続を実現している。さらに、本発明のオス電気コネクターとメス電気コネクターとの間の接続は、費用を追加する必要がない場合において、確実な防水機能を実現できるため、本発明の電気コネクターを実装した汎用型LEDバルブは、室内も室外も使用でき、防爆を必要とする環境に用いることができ、LEDバルブの使用範囲を大幅に広げている。
【図面の簡単な説明】
【００５５】
【図１】本発明に係る、非金属ヒートシンク付きバルブ凸レンズの態様の外観図である。
【図２】本発明に係る、金属ヒートシンク付きバルブ凸レンズの態様の外観図である。
【図３】本発明に係るLEDバルブ凸レンズ防水コネクターの態様の外観図である。
【図４】本発明に係るLEDバルブ光機械コア構成要素の概略構成図である。
【図５】本発明に係るバルブ構成図である。
【図６】本発明実施の形態に係る伝熱ブラケットの外形図である。
【図７】本発明実施の形態に係るC型インナースナップリング外形図である。
【図８】本発明実施の形態に係る光機械モジュールおよび伝熱ブラケットの組立外観図である。
【図９】本発明実施の形態に係るフラットインナーカバー付き光機械モジュールアセンブリーの外観図である。
【図１０】本発明実施の形態に係る伝熱ブラケット、電気コネクター、インナースナップリング、光機械モジュールアセンブリーの組立外観図である。
【図１１】本発明実施の形態に係る凹形のインナーカバーの断面図である。
【図１２】本発明実施の形態に係る非金属ヒートシンクの横断面図である。
【図１３】本発明実施の形態に係る非金属ヒートシンクアセンブリーの外観図である。
【図１４】本発明実施の形態に係る金属ヒートシンクの横断面図である。
【図１５】本発明実施の形態に係る金属ヒートシンク内部の概略構成図である。
【図１６】本発明実施の形態に係る小口径バルブの構造および電気コネクターの組立模式図である。
【図１７】本発明実施の形態に係る大口径バルブの構造および電気コネクターの組立模式図である。
【図１８】本発明に係る溶接リング固定端電気コネクターメスの概略構成図である。
【図１９】本発明に係るナット固定端オス電気コネクターの概略構成図の一である。
【図２０】本発明に係るナット固定端オス電気コネクターの概略構成図の二である。
【図２１】本発明に係る雄ネジ付きオス電気コネクターの概略構成図である。
【図２２】本発明に係る溶接リング固定端での電気コネクターピンメスの概略構成図である。
【図２３】本発明に係るナット固定端での電気コネクターピンメスの概略構成図である。
【図２４】本発明に係る湾曲型固定接続のメス電気コネクターの概略構成図である。
【図２５】本発明に係る直立型固定接続のメス電気コネクターの概略構成図である。
【図２６】本発明に係る直立型非固定接続のメス電気コネクターの概略構成図である。
【図２７】本発明の実施の形態に係るバルブ端の実装インターフェースの寸法および開口図である。
【図２８】本発明に係る小規格バルブの凸レンズの態様の外観図である。
【図２９】本発明の実施の形態1-2の概略構成図である。
【図３０】本発明の実施の形態1-2の使用状態図である。
【図３１】本発明の実施の形態1-2におけるライトポール固定リング使用時の概略構成図である。
【図３２】本発明の実施の形態1-2におけるライトポール固定リング使用時の使用状態図である。
【図３３】本発明の実施の形態1-2におけるライトポール固定リング使用時の点検修理状態図である。
【図３４】本発明の実施の形態1-2における筒型ランプハウジング使用時の概略構成図である。
【図３５】本発明の実施の形態1-2における筒型ランプハウジング使用時の点検修理状態図である。
【図３６】本発明の実施の形態2の構成図である。
【図３７】本発明の実施の形態2の実装インターフェースブラケットの実装インターフェース模式図である。
【図３８】本発明の実施の形態2の外観底面図である。
【図３９】本発明の実施の形態2の外観平面図である。
【図４０】本発明の実施の形態2の両側ブラケットが下向きの夾角になるように設けられる際の外観平面図である。
【図４１】本発明の実施の形態2の、2枚のブラケットパネル採用時の外観平面図である。
【図４２】本発明の実施の形態2の、2枚のブラケットパネルが下向きの夾角になるように設けられる際の外観平面図である。
【図４３】本発明の実施の形態2のライトポール固定ブラケットの投影図である。
【図４４】本発明の実施の形態2における両側ブラケットパネルが下向きの夾角になるように設けられる際のライトポール固定ブラケットの投影図である。
【図４５】本発明の実施の形態2における2個のブラケットパネル採用時のライトポール固定ブラケットの投影図である。
【図４６】本発明の実施の形態2における2個のブラケットパネルが下向きの夾角になるように設けられる際のライトポール固定ブラケットの投影図である。
【図４７】本発明の実施の形態3-2の概略構成図である。
【図４８】本発明の実施の形態3における押出型ヒートシンクの投影図である。
【図４９】本発明の実施の形態3における押出型ヒートシンクのもう一つの投影図である。
【図５０】本発明の実施の形態3における押出型ヒートシンクのさらにもう一つの投影図である。
【図５１】本発明の実施の形態3-2の外観底面図である。
【図５２】本発明の実施の形態3-2におけるヒートシンクが水平に設けられた際の外観底面図である。
【図５３】本発明の実施の形態3-2におけるヒートシンクが下向きの夾角になるように設けられる際の概略底面図である。
【図５４】本発明の実施の形態4における概略構成図である。
【図５５】本発明の実施の形態4におけるバルブヘッドの構成図である。
【図５６】本発明の実施の形態4における実装インターフェースブラケット組み合わせ構成要素の概略構成図である。
【図５７】本発明の実施の形態4の外観図である。
【図５８】本発明の実施の形態4におけるバルブヘッドの外観図である。
【図５９】本発明の実施の形態5の構成図である。
【図６０】本発明の実施の形態5の外観図である。
【図６１】本発明の実施の形態5における複数のLEDバルブ、横方向の実装ブラケット板およびガード板を用いた際の構成図である。
【図６２】本発明の実施の形態5における両面ヒートシンクの断面図である。
【図６３】本発明の実施の形態5実施2におけるガード板を用いた際の構成図である。
【図６４】本発明の実施の形態5における、複数のLEDバルブを用いた際の構成図である。
【図６５】本発明の実施の形態5における複数のLEDバルブを用いたとともにガード板を用いた際の構成図である。
【図６６】本発明の実施の形態5の横方向の実装ブラケット板を用いた構成図である。
【図６７】本発明の実施の形態6の概略構成図である。
【図６８】本発明の実施の形態6の平面図である。
【図６９】本発明の実施の形態6における通気孔付きシーリングライトベースを用いた際の概略構成図である。
【図７０】本発明の実施の形態6における通気孔付きシーリングライトカバーの概略構成図である。
【図７１】本発明の実施の形態6のLEDバルブ実装図である。
【図７２】本発明の実施の形態7-1の概略構成図である。
【図７３】本発明の実施の形態7-2の概略構成図である。
【図７４】本発明の実施の形態7-1の外観図である。
【図７５】本発明の実施の形態7におけるランプアウターカバー使用時の使用状態図である。
【図７６】本発明の実施の形態7におけるランプアウターカバーに半球型を用いる際のパターン模式図である。
【図７７】本発明の実施の形態7におけるランプアウターカバーにフラットランプカバーを用いる際のパターン模式図概である。
【図７８】本発明の実施の形態7におけるランプアウターカバーを蝋燭型として採用する際のパターン模式図である。
【図７９】本発明の実施の形態7におけるランプアウターカバーを使用する際の概略構成図である。
【図８０】本発明の実施の形態7におけるランプアウターカバー使用するの外観図である。
【図８１】本発明の実施の形態7における蝋燭型ランプによって構成されたLED蝋燭型ペンダントライトである。
【図８２】本発明の実施の形態7におけるランプアウターカバー付き蝋燭型ランプによって構成されたLED蝋燭型ペンダントライトである。
【図８３】本発明の実施の形態における灯具上の実装インターフェースの模式図である（外径80mm以上のバルブ）。
【図８４】本発明の実施の形態における灯具上の実装インターフェースの模式図である（外径70mm以上のバルブ）。
【発明を実施するための形態】
【００５６】
以下、図面と実施の形態を組み合わせて、本発明に対しさらに説明するが、本発明に対する制限の根拠となるものではない。
【００５７】
［実施の形態1］
汎用型LEDバルブの構成方法では、レンズスナップリングをバルブの支持主体とし、LEDバルブの光機械コア構成要素を支持して、配光光学レンズをサブ支持構造とするとともにLED光機械コア構成要素の実装ベースとし、若しくはインナースナップリングを配置してLEDバルブヒートシンクの実装ベースとし、レンズスナップリングには、バルブ実装のための実装フランジが設けられ、前記LEDバルブ光機械コア構成要素は、伝熱ブラケット、光機械モジュール、インナースナップリング、配光光学レンズとからなり、光機械モジュール外にインナーカバーが設けられ、伝熱ブラケットには電気コネクターが設けられており、前記光機械モジュールは、ダイボンドとパッケージとによって光機械プレート、LEDチップセットと関連の配線とで構成され、若しくは給電駆動チップがさらに集積される。前記レンズスナップリング直径は、バルブ外径Dであり、バルブ外径Dと、構成されたLEDバルブパワー上限Wは、W=l.1812e0.0361Dの関係となり、W=l.1812e0.0361Dという関係曲線上において、Dは離散的数値を取り複数の固定のバルブ外径D寸法のLEDバルブを構成することでLEDバルブの互換性および通用性を高め、前記バルブ外径Dには、W=l.1812e0.0361Dという関係曲線上において、Dは、20mmを下限とし、130mmを上限とし、10mm毎に1段階として、12段階に分けて有限量のバルブ外径規格を構成し、少量のバルブ外径規格でLEDバルブの互換性と通用性をさらに高め、前記レンズスナップリングの実装フランジ上のフランジ固定穴は、バルブ外径Dから止めネジナット直径を引いてから、0.8〜4mmのエッジ値をさらに引いた直径D1上に均等分布し、前記LEDバルブの灯具上のヒートシンクインターフェース開口直径D2は、バルブ外径Dから2倍の止めネジナット直径を引いて、D1に対応した2倍のエッジ値をさらに引いたものであって、前記LEDバルブの実装インターフェースは、灯具のLEDバルブと接触する面と、LEDバルブに接続される穴を含み、前記配光光学レンズ内には、階段を備えた凹溝が設けられ、階段内に、伝熱ブラケットと光機械モジュールとが互いに接着された一体構造を接着し、或は、光機械モジュール外をインナースナップリングでさらに取り囲んで、電気コネクターは伝熱ブラケットに固定され、光機械モジュールの外にインナーカバーが設けられ、配光光学レンズの凹溝縁とインナーカバーとの間に、若しくは伝熱ブラケットと配光光学レンズの凹溝との間の密封の防水空間内に光機械モジュール密閉するために、インナーリングカバーがさらに設けられ、インナースナップリングは若しくは配光光学レンズとさらに協働してLEDバルブヒートシンクの実装ベースとされ、インナースナップリングは、上端が伝熱ブラケットに接着し、下端に、防水の役割を果たすとともに、ヒートシンク止めネジが伝熱ブラケットを押しつぶすことを防ぐための押縁を備えたヒートシンク固定用貫通孔が設けられ、配光光学レンズとインナースナップリングと伝熱ブラケットの厚さを調整することにより、レンズスナップリング実装の際に、伝熱ブラケットがヒートシンクにしっかりと貼り付けられるようにし、前記伝熱ブラケットと光機械プレートは同一の非金属伝熱材を用いて一体的に構成され、前記光機械プレートは金属材料伝熱基板で、PCBプリント配線基板技術を通じて回路を得るか、若しくは非金属材料伝熱基板で、その上に銀ペーストプリント回路技術を採用し回路を嵌合する。前記伝熱ブラケット上には、ヒートシンクが設けられ、ヒートシンクと伝熱ブラケットとの間には、伝熱パッドが設けられ、前記ヒートシンクは、メッシュ状の非金属ヒートシンクと架空状の伝熱変換ブラケットとを含む非金属ヒートシンクアセンブリーであり、非金属ヒートシンクと伝熱変換ブラケットは極細の非金属伝熱材（例えば、酸化アルミニウム、酸化シリコンなど）で、低温押出成形を経た後高温焼結して得られ、両者の接触面は伝熱接着剤を塗布してから一体的に接着され、非金属ヒートシンクの固定ネジ穴内にゴムスリーブ或はネジ固定のりを充填することで止めネジを接続し、非金属ヒートシンク外にヒートシンクカバーを設置し（ヒートシンクカバーは、金属材料打抜きやプラスチックダイカストで製造することが可能であり、バルブの外観を美しくする）、伝熱変換ブラケットは、非金属ヒートシンクを架空することで、空気を伝熱変換ブラケットから非金属ヒートシンクのメッシュ内に進入させ、若しくは、前記ヒートシンクは金属ヒートシンクであり、金属ヒートシンクと伝熱ブラケットとの間に伝熱パッドが設けられ、前記金属ヒートシンクは、中空構造が採用され、中空部分に発泡金属が充填されて、中空構造内に超伝導液が注入され、中空構造は上下プラグによって絞り嵌め圧入またはネジシールグルーネジ込みを用いて密閉空間を形成して密閉空間を吸出して真空とし、ヒートシンク止めネジはインナースナップリング上の固定用貫通孔を突き抜けることで、非金属ヒートシンクまたは金属ヒートシンクのヒートシンク固定ネジ穴に接続される。前記LEDチップ上に蛍光粉を塗布してから透明シリコンで覆い、若しくは、LEDチップの数量を、植物が必要とする青色光、赤光比例にて配置し、溶接されたLEDチップは透明シリコンパッケージのみで覆われ、或は、前記LEDチップが透明シリコンのみでパッケージされ、そしてパッケージされたLEDチップ外には、内側に蛍光粉が塗布されたインナーカバーが設置され、或は、前記LEDチップはゴムパッケージされず、LEDチップ外に、蛍光粉を設けた透明絶縁伝熱液の付いた、薄型凹面構造の弾性インナーカバーである凹状インナーカバーが設けられる。前記伝熱ブラケット上に、貫通孔を設け、接続ピン付きオス電気コネクターを貫通孔に挿入し、バルブ内部に挿入された部分を固定端として固定し、接続ピン末端が汎用型LEDバルブ内の光機械プレートと溶接されることで汎用型LEDバルブの外面に簡単な電気接続口を形成し、実装時にオス電気コネクターを、ケーブル付きメス電気コネクターに接続させてから汎用型LEDバルブを固定するだけで、汎用型LEDバルブの電気接続を実現でき、前記オス電気コネクターの伝熱ブラケット上の穴の偏心位置およびオス電気コネクター固定端の寸法にを限定することにより、LEDバルブ内の光機械プレートの、LEDチップと駆動電源チップの配置需要および位置決め需要が満たされ、前記接続ピン付き電気コネクターは、2針が電源接続、2針が制御接続される4針構造であって、前記固定端は、ナット固定方式または溶接リング固定方式であって、固定端がナット固定方式の場合、オス電気コネクターと伝熱ブラケットとの間に防水ゴムリングを設けて防水し、回転を防止するために、オス電気コネクター上に滑り止め溝が設けられ、前記伝熱ブラケットの貫通孔に、対応する突起が設けられ、前記メス電気コネクターには、3穴フランジが設けられ、止めネジによって灯具ヒートシンクに固定され、メス電気コネクターとヒートシンクとの間に調節ゴムパッドを設置して厚さを調整することで、防水面の密着性を保証し、若しくは、雄ネジを、オス電気コネクター上に設けて、防水ゴムリングの設けられたメス電気コネクターにある、固定ナットの雌ネジと合わせて固定し防水し、メス電気コネクター上には、防水ゴムリングを備えて防水を行う嵌合溝が設けられる。
【００５８】
前記方法で構成されたスナップリングレンズ式LEDバルブは、図4、5に示すように、実装フランジ付きレンズスナップリング8を含み、レンズスナップリング8内には少なくとも伝熱ブラケット3、光機械モジュール4、配光光学レンズ7が順に設けられ、配光光学レンズ7上に凹溝が設けられ、かつ凹溝内に、伝熱ブラケット3が接着された階段が設けられ、伝熱ブラケット3に、光機械モジュール4が接着され（図8に示すとおりである）オス電気コネクター11を固定し、光機械モジュール4外にはインナーカバー6が設けられ、配光光学レンズ7の凹溝エッジとインナーカバー6との間には若しくはインナーリングカバー62が設けられ、光機械モジュール4は伝熱ブラケット3と配光光学レンズ7との間の密封防水空間内に封止され、光機械モジュール4外はインナースナップリング81によって取り囲まれ（図7におけるC字型のインナースナップリング）、かつレンズスナップリング8実装の際に、伝熱ブラケット3の上面はヒートシンク103がしっかりと貼り付けられることを確保でき、インナースナップリング81は、上端が伝熱ブラケット3に接着し、下端に、防水の役割を果たすとともにヒートシンク止めネジが伝熱ブラケットを押しつぶすことを防ぐための押縁を備えるヒートシンク固定用貫通孔23が設けられ、ヒートシンク止めネジ12はインナースナップリング81と伝熱ブラケット3上の固定用貫通孔を突き抜けることで、LEDバルブヒートシンク103を伝熱ブラケット3と配光光学レンズ7上に固定させる。つまり、LEDバルブの規格が比較的小さく、ヒートシンクを設ける必要がない場合、インナースナップリング81は省略しても良い。前記光機械モジュール4はダイボンドとパッケージとによって光機械プレート、LEDチップセットと関連の配線とで構成され、若しくは給電駆動チップがさらに集積され、または前記伝熱ブラケット3と光機械プレートは同一の非金属伝熱材を用いて一体的に構成され、前記光機械プレートは金属材料伝熱基板で、PCBプリント配線基板技術を通じて回路を得るか、若しくは非金属材料伝熱基板で、その上に銀ペーストプリント回路技術を用いて回路を嵌合する。前記伝熱ブラケット3上には、ヒートシンク103が設けられ、ヒートシンク103と伝熱ブラケット3との間には、伝熱パッド2が設けられ、前記ヒートシンク103は、メッシュ状の非金属ヒートシンク（図13に示すように、断面において、メッシュ42が見て取れ、図6に示すように、通風機能を提供可能なその他の構造を採用してもよい）と、それよりも下方の架空状の伝熱変換ブラケット1とを含む非金属ヒートシンクアセンブリーであり、非金属ヒートシンクのヒートシンク固定ネジ穴33内にゴムスリーブ或はネジ固定のりを充填することで固定ネジを接続し、非金属ヒートシンク外にヒートシンクカバー101が設置され、非金属ヒートシンクの断面は図12に示すとおりである。若しくは、図14と図15に示すように、前記ヒートシンク103は、中間に、内部に発泡金属37が充填され、超伝導液を設ける超伝導液室が設けられたフィン34を備える金属ヒートシンクであってもよく、金属ヒートシンクと伝熱ブラケット3との間に伝熱ブラケット2が設けられ、前記超伝導液室両端には、上プラグ33と下プラグ35とが設けられ、上プラグ33または下プラグ35には、真空吸管32が設けられ、前記ヒートシンク103には、ケーブルが穿設されたケーブル穴36と、ヒートシンク固定ネジ穴38とがさらに設けられる。ヒートシンク止めネジ12は、インナースナップリング81とヒートシンク103上のヒートシンク固定用貫通孔22を突き抜けることで、ヒートシンク103をインナースナップリング81に固定させる。
【００５９】
前記光機械モジュール4上のLEDチップ外にパッケージ用の透明シリコンが設けられ、かつ透明シリコン付きのすべての光機械モジュール4の外に、図9に示すように、蛍光粉塗布層が設けられたインナーカバー6が設けられ、若しくは、前記光機械モジュール4上のLEDチップにはシリコンがパッケージされず、前記光機械モジュール4の外に、LEDチップが浸され、蛍光粉が設けられた透明絶縁伝熱液を備えた凹状インナーカバー61が設置され、前記凹状インナーカバーは、断面が図9、11に示されるような薄型凹面構造の弾性インナーカバーである。前記光機械モジュール4は、ダイボンドとパッケージとによって光機械プレート、LEDチップセットと関連の配線とで構成され、若しくは給電駆動チップがさらに集積される。
【００６０】
前記伝熱ブラケット3上には、接続ピン17を備えたオス電気コネクター11を含む電気コネクターが設けられ、接続ピン17の末端の接続ピン溶接スポット19は光機械モジュール4に溶接され、前記オス電気コネクター11は汎用型LEDバルブ上のオスコネクター固定穴22を突き抜けてから固定端15により固定され、オス電気コネクター11は、挿入穴付きメス電気コネクター10に合わせて接続され、メス電気コネクター10はケーブルに接続され、メス電気コネクター10はケーブル付き防水継手10Aにおけるケーブルの他端のケーブル固定端11Aに設けられる。前記電気コネクター接続ピンは、2針が電源接続、2針が制御接続される4針構造である。前記固定端15は溶接リングであって、図18と図22に示すように、図22におけるオス電気コネクター11には保護スリーブがなく、または、前記固定端15は固定ナットであって、オス電気コネクター11上には、防水ゴムリング16を備えた防水ゴムリング嵌合溝18がさらに設けられ、図19、20、21、23に示すように、そのうち図23におけるオス電気コネクター11には保護スリーブがなく、回転を防止するために、オス電気コネクター11上には、滑り止め溝が設けられ、前記伝熱ブラケット3の貫通孔には対応する突起が設置され、前記メス電気コネクター10上には、3穴フランジが設けられ（図24と図25に示すとおりである）、3穴フランジとメスコネクター止めネジ25とによってヒートシンク103若しくは灯具上の伝熱変換板27に固定され、且つ、フランジとヒートシンク103または灯具上の伝熱変換板27との間に固定調節ゴムパッド24をさらに設けて防水面の密着性を保証し（図16に示されるように）、図17に示すように、若しくは、前記オス電気コネクター11には、雄ネジが設けられ、防水ゴムリング16を備えたメス電気コネクター10にある固定ネジ穴28の雌ネジに合わせてメス電気コネクター11上に固定され、前記メス電気コネクター10上には、防水ゴムリング16を備えた嵌合溝が設けられる。そのうち、メス電気コネクターは図26に示すような、非固定式のメスコネクターを採用することもできる。これと同時に電気コネクター固定端と給電素子などを覆い、バルブの美観を保証するために、図10に示すように、インナーカバー6とインナースナップリング81との間にリングカバー62が設けられる。小口径バルブ（D≦70mm）は通常リングカバー62またはインナーカバー6を設けなくてもよく（リングカバー62を含んでも良い）、その構造と電気コネクターの組み立ての概略は図16に示すとおりであり、大口径バルブ（D≧70mm）の構造および電気コネクターの組み立ては図17に示すとおりである。
【００６１】
バルブ外径Dと、構成されたLEDバルブパワー上限Wは、W=l.1812e0.0361Dの関係となり、W=l.1812e0.0361Dという関係曲線上において、Dは離散的数値を取り、複数の固定のバルブ外径D寸法のLEDバルブを構成することでLEDバルブの互換性および通用性を高める。W=l.1812e0.0361Dという関係曲線において、Dは、20mmを下限とし、130mmを上限とし、10mm毎に1段階とし、12段階に分けて有限量のバルブ外径規格を構成し、少量のバルブ外径規格でLEDバルブの互換性と通用性をさらに高める。バルブ固定用のネジ穴分布円D1と灯具ヒートシンクインターフェース開口（実装インターフェース上のヒートシンクを突き抜けるための開口）の直径D2は、使用されるネジの寸法の影響を受け、直径D1はバルブ外径Dから止めネジナット直径を引いてから、0.8〜4mmのエッジ値をさらに引いたものであって、ヒートシンクインターフェース開口直径D2は、バルブ外径Dから、2倍の止めネジナット直径を引いてから、D1に対応した2倍のエッジ値をさらに引いたものであり、バルブ配線孔距離L（すなわち、オス電気コネクターの伝熱ブラケット上における偏心位置にある）は下表の値を取る。図1、図2、図3、図28におけるバルブ外径寸法外径D、フランジネジ穴分布円直径D1、ヒートシンク直径D3は規定に沿って製造され、関連寸法は図27と下表とによって決定される。
【００６２】
【表１】
0006031601.tif 000002
【００６３】
［実施の形態1-1］
実装インターフェースブラケット構造を用いた街路灯であって、金属板材を打抜き成形した実装インターフェースブラケット103Aを含み、実装インターフェースブラケット103A上には、ヒートシンク付きLEDバルブ102を備えた実装インターフェースが設けられ、実装インターフェースブラケット103Aはライトポール108に実装され、実装インターフェースブラケット103A外には金属打抜き成形またはプラスチックダイカストされたランプハウジング101が設けられる。実装インターフェースブラケット103Aは、L形ブラケットであり、L形側面にあるブラケット実装フランジ用実装固定ボルト109によりライトポール108に固定され、実装インターフェースブラケット103Aの実装インターフェースにはケーブル穴が設けられ、前記ハーネスコネクタ106は実装インターフェースブラケット103Aに設けられ、前記実装インターフェースは、実装インターフェースブラケット103Aの、LEDバルブ102と接触する面と、LEDバルブ102に接続される穴とを含む。実装インターフェースブラケット103Aは、或は中央にブラケット実装穴が設けられる直板状ブラケットであり、実装インターフェースブラケット103Aはブラケット実装穴とライトポール固定リング116とによりライトポール108に取り付けられ、実装インターフェースブラケット103Aの実装インターフェース上にはケーブル穴が設けられ、前記実装インターフェースブラケット構造を採用した街路灯は、実装インターフェースブラケット103Aに接続されたライトポール108内に設けられて、複数のLEDバルブ102を電源と制御回路に接続するハーネスコネクタ106をさらに含み、前記実装インターフェースは、実装インターフェースブラケット103Aの、LEDバルブ102と接触する面と、LEDバルブ102に接続される穴とを含む。実装インターフェース上の6つのフランジ固定穴は、LEDバルブ102外径Dから止めネジナット直径を引いてから、0.8〜4mmのエッジ値をさらに引いた直径D1上に均等分布される。LEDバルブ102はバルブ止めネジ105によって実装インターフェースに実装され、ランプハウジング101はランプハウジング止めネジ104によって実装インターフェースブラケット103Aに実装される。
【００６４】
［実施の形態1-2］
実装インターフェースブラケット構造を用いた街路灯であって、図29と図30に示すように、金属板材を打抜き成形した実装インターフェースブラケット103Aを含み、実装インターフェースブラケット103Aには、ヒートシンク付きLEDバルブ102を備えた実装インターフェースが設けられ、実装インターフェースブラケット103Aはライトポール108に実装され、実装インターフェースブラケット103A外には金属打抜形またはプラスチックダイカストされたランプハウジング101が設けられる。実装インターフェースブラケット103Aは、L形ブラケットであり、L形側面にあるブラケット実装フランジ用実装固定ボルト109によりライトポール108に固定され、実装インターフェースブラケット103Aの実装インターフェースにはケーブル穴が設けられ、前記実装インターフェースブラケット構造を用いた街路灯は、実装インターフェースブラケット103Aに設けられて、複数のLEDバルブ102を電源と制御回路に接続するハーネスコネクタ106をさらに含み、前記実装インターフェースは、実装インターフェースブラケット103Aの、LEDバルブ102と接触する面と、LEDバルブ102に接続される穴とを含む。実装インターフェース上の6つのフランジ固定穴は、LEDバルブ102外径Dから止めネジナット直径を引いてから、0.8〜4mmのエッジ値をさらに引いた直径D1上に均等分布する。LEDバルブ102はバルブ止めネジ105によって実装インターフェースブラケット103Aに実装され、ランプハウジング101はランプハウジング止めネジ104によって実装インターフェースブラケット103Aに実装され、ハーネスコネクタ106はハーネスコネクタブラケットとボルト107とによって実装インターフェースブラケット103Aに実装される。
【００６５】
本発明では、メンテナンスの際に、ランプハウジング101を外すだけで、バルブの取り外しと取付が容易でき、点検、バルブ交換が非常に便利である。
【００６６】
本実施の形態において、ランプハウジング101は、図34、35に示すように、円筒型ランプハウジングを採用しても良い。
【００６７】
本実施の形態では、実装インターフェースブラケット103Aは若しくは直板形のブラケットであり、直板形ブラケットの中央には、ブラケット実装穴が設けられ、実装インターフェースブラケット103Aはライトポール固定リング116を介してライトポール実装固定ボルト109によってライトポール108に実装され、ハーネスコネクタ106は、図31、32、33に示すように、実装インターフェースブラケット103Aが接続されるライトポール108に設置される。その際に、ハーネスコネクタブラケットとネジ107を使用する必要はない。
【００６８】
本実施の形態の図面符号の意味は以下の通りである。101-ランプハウジング、102-LEDバルブ、103-実装インターフェースブラケット、104-ランプハウジング止めネジセット、105-バルブ止めネジ、106-ハーネスコネクタ、107-ハーネスコネクタブラケットおよびネジ、108-ライトポール、109-実装固定ボルト、116-ライトポール固定リング、103-ヒートシンク、301-バルブ実装フランジ固定穴、302-ブラケットパッドかしめ穴、501-ブラケットパッドかしめ突起、502-電源または制御端溶接穴。
【００６９】
［実施の形態2］
ランプハウジングを実装インターフェースブラケット構造として用いるLED街路灯であって、図36、図38、図39に示すように、金属板材を打抜き成形したランプハウジング101を含み、ランプハウジング101は、実装インターフェースが設けられる複数枚に折り曲げられたブラケットパネルを含み、実装インターフェースには、LEDバルブ102が設けられ、ランプハウジング101は、ライトポール固定子によってライトポール108上に固定される。ランプハウジングを実装インターフェースブラケット構造として用いるLED街路灯であって、ランプハウジング101上に設置され、複数のLEDバルブ102を電源と制御回路に接続するハーネスコネクタ106をさらに含む。ランプハウジング101の縁には構造強度を増す折り返しが設けられ、前記実装インターフェースは、ランプハウジング101の、LEDバルブ102と接触する面と、LEDバルブ102に接続される穴とを含み、前記ライトポール固定ブラケット112上部は、ライトポール108を接続するためのライトポール固定穴である。ライトポール固定子は、ライトポール固定ブラケット112と、ライトポール固定ブラケットボルト111と、補強板110とを備え、ライトポール固定ブラケット112と補強板110はランプハウジング101の上下両側に設けられ、前記ランプハウジング101は、ライトポール固定ブラケット112と補強板110とによってライトポール108に固定され、前記ランプハウジング101は、互いに折られて夾角をなすように設置されたブラケットパネルを3枚含み、前記ライトポールブラケット112は、下部を平面とするブラケットであって、ランプハウジング101の上側または下側からランプハウジング101中央のブラケットパネル上に固定される。実装インターフェースには、LEDバルブ102を固定するための6つのフランジ固定穴と、LEDバルブ102が実装インターフェースを突き抜けるためのヒートシンクインターフェース開口と、が設けられ、前記6つのフランジ固定穴は、LEDバルブ102外径Dから止めネジナット直径を引いてから、0.8〜4mmのエッジ値をさらに引いた直径D1上に均等分布し、前記ヒートシンクインターフェース開口直径D2は、バルブ外径Dから2倍の止めネジナット直径を引いて、D1に対応した2倍のエッジ値を引いたものである。LEDバルブ102はバルブ止めネジ105によって実装インターフェースに実装され、ハーネスコネクタ106はハーネスコネクタブラケットとネジ107とによってランプハウジング101に実装され、ライトポール固定ブラケット112と補強板110はライトポール固定ブラケットボルト111によってランプハウジング101に固定され、ライトポール108はライトポール止めネジ109によってライトポール固定ブラケット112と接続される。
【００７０】
本実施の形態では、両側ブラケットパネルはさらに、図40と図44に示すように、下向きの夾角になるように設けることが可能である。
【００７１】
本実施の形態では、図41と図45に示すように、ランプハウジング101は、若しくは互いに折られて上向きの夾角になるように設置されるブラケットパネルを2枚含み、ライトポール固定ブラケット112の下部は、この時三角形のブラケットであって、「V」字型を呈している。
【００７２】
本実施の形態では、図42と図46に示すように、ランプハウジング101は、若しくは互いに折られて下向きの夾角になるように設置されるブラケットパネルを2枚含み、ライトポール固定ブラケット112の下部は、この時三角形ブラケットであって、逆「V」字型を呈している。
【００７３】
本発明では、故障の際、図36に示すように、ランプハウジング101からバルブ102を直接外すだけで、点検とバルブの交換が容易にできる。
【００７４】
本実施の形態の図面符号の意味は以下の通りである。101-ランプハウジング、102-LEDバルブ、105-バルブ止めネジ、106-ハーネスコネクタ、107-ハーネスコネクターブラケットおよびネジ、108-ライトポール、109-ライトポール止めネジ、110-補強板、111-ライトポール固定ブラケットボルト、112-ライトポール固定ブラケット。
【００７５】
［実施の形態3-1］
押出型ヒートシンクを灯具主体構造として用いたLED街路灯であって、押出工程によって成形された金属押出型ヒートシンク103と、ハーネスコネクタ106とを含み、押出型ヒートシンク103はライトポール108に固定され、押出型ヒートシンク103はLEDバルブを実装するための実装インターフェースを備えたヒートシンクが両側に設けられるライトポール固定スリーブを備え、実装インターフェース上にLEDバルブ102が取り付けられ、複数のLEDバルブ102を電源と制御回路に接続するためのハーネスコネクタ106がライトポール固定スリーブに設けられる。ヒートシンクは、一方側にフィンが設けられ、他方側にLEDバルブ102を実装するための実装インターフェースが設けられた基板を備え、基板の他方側にはLEDバルブ102から引き出された導線をハーネスコネクター106に接続する導線ブラケット112が設けられる。実装インターフェースは、ヒートシンクのLEDバルブ102と接触する面と、LEDバルブ102に接続される穴とを含む。押出型ヒートシンク103において、両側のヒートシンクは夾角をなすように設置され、前記ライトポール固定スリーブは、一端にライトポール閉塞部材101が設けられ、他端がライトポール止めネジ109によってライトポール108上に固定される。ヒートシンクの実装インターフェース上の6つのフランジ固定穴は、LEDバルブ102外径Dから止めネジナット直径を引いてから、0.8〜4mmのエッジ値をさらに引いた直径D1上に均等分布する。
【００７６】
［実施の形態3-2］
押出型ヒートシンクを灯具主体構造として用いたLED街路灯であって、図47、図48、図51に示すように、押出工程によって成形された金属押出型ヒートシンク103と、ハーネスコネクタ106とを含み、押出型ヒートシンク103はライトポール108に固定され、押出型ヒートシンク103はLEDバルブを実装するための実装インターフェースを備えたヒートシンクが両側に設けられるライトポール固定スリーブを備え、実装インターフェース上にLEDバルブ102が取り付けられ、複数のLEDバルブ102を電源と制御回路に接続するためのハーネスコネクタ106がライトポール固定スリーブに設けられる。ヒートシンクは、一方側にフィンが設けられ、他方側にLEDバルブ102を実装するための実装インターフェースが設けられた基板を備え、基板の他方側にはLEDバルブ102から引き出された導線をハーネスコネクター106に接続する導線ブラケット112が設けられる実装インターフェースは、ヒートシンクのLEDバルブ102と接触する面と、LEDバルブ102に接続される穴とを含む。押出型ヒートシンク103において、両側のヒートシンクは夾角をなすように設置され、前記ライトポール固定スリーブは、一端にライトポール閉塞部材101が設けられ、他端がライトポール止めネジ109によってライトポール108上に固定される。ヒートシンクの実装インターフェース上の6つのフランジ固定穴は、LEDバルブ102外径Dから止めネジナット直径を引いてから、0.8〜4mmのエッジ値をさらに引いた直径D1上に均等分布する。LEDバルブ102はバルブ止めネジ105によって実装インターフェースに実装され、ハーネスコネクタ106はハーネスコネクタブラケットと止めネジ107とによってライトポール固定スリーブに実装される。
【００７７】
本発明では、図50、52に示すように、押出型ヒートシンク103のヒートシンクを水平に設けることもできる。本発明において、図49、53に示すように、押出型ヒートシンク103のヒートシンクを下向きの夾角になるように設置することもできる。これにより本発明はさらに実用性を備えることになる。
【００７８】
街路灯が故障した際、図52に示すように、押出型ヒートシンク103からバルブ102を直接外すだけでよい。
【００７９】
本実施の形態の灯具は、一つ押出型ヒートシンクにヒートシンクとバルブ実装ブラケットの両者を組み合わせ、LEDバルブおよびその他のすべての補助部品は、押出型ヒートシンクに全て集中して実装されるので、構造が簡単で、製造コストは低く、実装・使用・メンテナンスに便利である。本発明は稼働の際、ヒートシンクのすべてのフィンが地表と垂直になり、垂直に下降する埃はフィンの上に積み重ならない。本発明のヒートシンクの放熱面積は大きく、複数個のLEDバルブを同時に用いて押出型ヒートシンク上に分散し、押出型ヒートシンクの各部位はいずれも熱源に近く、放熱金属の利用効率は非常に高く、各グラムの金属はほぼ押出型ヒートシンクの組成部分となり、全体的な金属用量は、従来のLEDバルブのヒートシンクの50%ほどの用量に過ぎず、金属材の使用量を大幅に下降させる。本発明の灯具における二つのヒートシンクは異なる展開角度を形成することができ、これにより、本発明は、実用的、美観、個性化といった特徴を有する。
【００８０】
本実施の形態の図面符号の意味は以下の通りである。101-ランプポール閉塞部材、102-LEDバルブ、103-押出型ヒートシンク、105-バルブ止めネジ、106-ハーネスコネクタ、107-ハーネスコネクタブラケットおよび止めネジ、108-ライトポール、109-ライトポール止めネジ、112-導線ブラケット、301-バルブ実装フランジ固定穴、302-ブラケットパッドかしめ穴、501-ブラケットパッドかしめ突起、502-電源または制御端溶接穴。
【００８１】
［実施の形態4］
実装インターフェースブラケット組み合わせ構成要素を用いたLED道路灯であって、図1、図2、図24、図25、図26に示すように、防水、防塵機能を備えた、ヒートシンク付きLEDバルブ102が設けられ、外側に金属打抜き成形またはプラスチックダイカストされたランプハウジング101を備え、ライトポール116に接続される、実装インターフェースブラケット組み合わせ構成要素を含み、前記実装インターフェースブラケット組み合わせ構成要素は、互いにつながった、標準的な管材を分段切断してなる管状ブラケット108と、灯具固定フランジ106、ランプハウジングおよびバルブ固定ブラケット110とを含み、ランプハウジングおよびバルブ固定ブラケット110には、LEDバルブ102を実装するための実装インターフェースが設けられ、管状ブラケット108は、灯具固定フランジ106と、ランプハウジングおよびバルブ固定ブラケット110とを接続し、ブラケット組み合わせ構成要素は、灯具固定フランジ106によりライトポール116に接続される。実装インターフェースは、ランプハウジングおよびバルブ固定ブラケット（110）に位置する、LEDバルブ102と接触する面と、LEDバルブ102に接続される穴とを含み、前記ランプハウジングおよびバルブ固定ブラケット110は、金属打抜きで成形され、ランプハウジングおよびバルブ固定ブラケット110の中央部には管状ブラケット108が接続され、ケーブルの通過に便宜を図り、ランプハウジング内に煙突効果を形成して、通風と放熱効果を保証するために、ランプハウジングおよびバルブ固定ブラケット110の管状ブラケット108の接続箇所の周囲に透かし彫りを設け、灯具固定フランジ106は管状ブラケット108の接続箇所にケーブル穴を設ける。ライトポール116には、点字穴が設けられ、ライトポール116は折り曲げられ、内部にLEDバルブを実装して、装飾として発光させることが可能であり、庭園、公園などの実装条件が複雑な環境に適応できる。ランプハウジング101はランプハウジング止めネジ104によってランプハウジングおよびバルブ固定ブラケット110に実装され、LEDバルブ102はバルブ止めネジ105によってランプハウジングおよびバルブ固定ブラケット110に実装される。
【００８２】
本発明では、故障の際、ランプハウジング101を外すだけで、図1、2に示すように、バルブの取り外しと取り付けが容易でき、点検、バルブの交換が非常に便利である。
【００８３】
本実施の形態の灯具は、実装インターフェースブラケット組み合わせ構成要素を実装固定部材として用い、実装インターフェース組み合わせ構成要素はLEDバルブへ支持インターフェースを提供し、ランプハウジング、LEDバルブとその他のすべての補助部品はブラケット組み合わせ構成要素上に全て集中して実装されるので、構造が簡単で、製造コストは低く、実装・使用・メンテナンスに便利である。本発明灯具のランプハウジングおよびバルブ固定ブラケットは、管状ブラケットの接続箇所の周辺に透かし彫りを設けることでケーブルの通過に便利を図り、且つ、ランプハウジング内に煙突効果を形成して通風と放熱効果を高める。本発明のライトポール上には、折り返しが設けられ、公園、庭園などの実装条件が複雑な環境に適応できる。本発明は、メンテナンスの際に、ランプハウジングを外すだけで、LEDバルブまたは実装インターフェースブラケット組み合わせ構成要素をメンテナンスすることができ、LED道路灯全体を外す必要はなく、メンテナンスに便利である。
【００８４】
本実施の形態の図面符号の意味は以下の通りである。101-ランプハウジング、102-LEDバルブ、103-ヒートシンク、104-ランプハウジング止めネジ、105-バルブ止めネジ、106-灯具固定フランジ、108-管状ブラケット、110-ランプハウジングまたはバルブ固定ブラケット、116-ライトポール、301-バルブ実装フランジ固定穴、302-ブラケットパッドかしめ穴、501-ブラケットパッドかしめ突起、502-電源または制御端溶接穴。
【００８５】
［実施の形態5］
両面ヒートシンクとランプハウジングブラケット構造を用いたLEDトンネルライトであって、図59、図60に示すように、金属打抜き成形またはプラスチックダイカストされたランプハウジング101を含み、ランプハウジング101は、両面ヒートシンク103を実装する実装インターフェースブラケット板と、LEDトンネルライト全体を固定実装するアンカーボルト穴を含み、実装インターフェースブラケット板には、両面ヒートシンク103を実装する一つ以上の矩形開口を設けられ、両面ヒートシンク103上には、防水、防塵機能を有するLEDバルブ（102）が設けられる実装インターフェースを備える。両面ヒートシンク103は、両側にフィンが設けられた基板を含み、基板の一方側にLEDバルブ102を実装するための実装インターフェースが設けられ、基板実装インターフェース周辺のフィンは、図62に示すように、LEDバルブ102から発せられる光線を遮らないように、バルブの出光照射角度に基づいて円若しくは楕円の円錘形状の空間を切削し出し、両面ヒートシンク（103）の、実装インターフェースが設けられた一側は、矩形開口を貫通し、前記実装インターフェースは、ヒートシンク103に位置するLEDバルブ102と接触する面と、LEDバルブ102に接続される穴とを含む。実装インターフェース上の6つのフランジ固定穴は、LEDバルブ102外径Dから止めネジナット直径を引いてから、0.8〜4mmのエッジ値をさらに引いた直径D1上に均等分布する。LEDバルブ102はバルブ止めネジ105によって実装インターフェースに実装され、両面ヒートシンク103はランプハウジング止めネジ104によってランプハウジングに実装される。
【００８６】
特に残酷な使用環境に対しては、図63に示すように、本発明のランプハウジング101にガード板をさらに設ける。
【００８７】
光の強さに特別な要求がある使用環境に対しては、図64、図65に示すように、本発明では、複数個のLEDバルブを使用することができる。
【００８８】
垂直の通風に特別な要求がある使用環境に対しては、図66、図61に示すように、本発明では、横方向の実装ブラケット板を用いることができる。
【００８９】
本実施の形態の灯具は、ランプハウジングにもとの実装インターフェースブラケットの機能を増し、両面ヒートシンクとLEDバルブおよびその他のすべての補助部品は、ランプハウジングに全て集中して実装、固定されるので、本LEDトンネルライトは簡単、実用的、美観という特徴がある。本発明の両面ヒートシンクは稼働時に、上下のフィンが異なる二つの稼働状態にあり、どの片面のフィンがひどく汚れても両面ヒートシンクの効き目が失われることはない。本発明のトンネルライトの両面ヒートシンク構造は放熱面積が大きく、加えて両面ヒートシンクの各部位はいずれも熱源に近く、放熱金属の利用効率は非常に高く、各グラムの金属はほぼ押出型ヒートシンクの組成部分となり、全体的な金属用量は、従来のLEDバルブのヒートシンクの50%ほどの用量に過ぎず、金属材の使用量を大幅に下降させる。
【００９０】
本実施の形態の図面符号の意味は以下の通りである。101-ランプハウジング、102-LEDバルブ、103-両面ヒートシンク、104-ランプハウジング止めネジ、105-バルブ止めネジ、301-バルブ実装フランジ固定穴、302-ブラケットパッドかしめ穴、501-ブラケットパッドかしめ突起、502-電源または制御端溶接穴。
【００９１】
［実施の形態6］
多光源LEDシーリングライトであって、図67、図68、図71に示すように、シーリングライトベース106とヒートシンク103とを備えるシーリングライト灯具を含み、シーリングライトベース106周辺には、シーリングライトベース106と天井との間の十分な通風距離を保証するためのベース支持パッド110が設けられ、シーリングライトベース106には、ヒートシンクを実装する複数個の開口が設けられて、ヒートシンク103が開口に設けられ、ヒートシンク103の下部に、実装インターフェースAZMを設けてLEDバルブ102を固定実装する。シーリングライト灯具は、周辺にライトカバー固定クリップ109が設けられるシーリングライトカバー101をさらに備え、ライトカバー固定クリップ109は、シーリングライトカバー101をシーリングライトベース106上に実装し、前記実装インターフェースAZMは、ヒートシンク103に位置するLEDバルブ102と接触する面と、LEDバルブ102に接続される穴とを含む。シーリングライト灯具は、メス電気コネクター10、メスコネクター止めネジ25、調節ゴムパッド24を含む電気コネクター組立品をさらに備え、前記メス電気コネクター10は、LEDバルブ102上のオス電気コネクター11と互いに接続され、メスコネクター10上には、3穴フランジが設けられ、3穴フランジとメス電気コネクター止めネジ25とによってヒートシンク103に固定され、かつ、防水面の密着性を保証するために、フランジとヒートシンク103との間には固定調節ゴムパッド24がさらに設けられる。ヒートシンク103の実装インターフェースAZM上の6つのフランジ固定穴は、LEDバルブ（102）外径Dから止めネジナット直径を引いてから、0.8〜4mmのエッジ値をさらに引いた直径D1上に均等分布する。ヒートシンク103はひまわり状ヒートシンクである。ヒートシンク103は止めネジ104によって実装インターフェースに実装され、LEDバルブ102はバルブ止めネジ105によってバルブ実装インターフェースAZMに実装される。
【００９２】
本発明は、メンテナンスの際に、シーリングライトカバー101を外し止めネジ105を取り外すだけで、LEDバルブ102の交換を実現でき、シーリングライトの使用寿命を延ばし、ユーザの照明費用の投資費用予期を低減させる。
【００９３】
本実施の形態の灯具はシーリングライトベースをコアとして、LEDバルブおよびその他のすべての補助部品は、シーリングライトベース上に全て集中して実装するので、構造が簡単で、製造コストは低く、実装・使用・メンテナンスに便利である。シーリングライトベースの実装インターフェースの開口の縁にはA通風穴が設けられ、外部からの空気はA通風穴を介してヒートシンクと縦方向に対流を形成して、放熱効果を増やし、また蚊やその他の虫類の進入を防止するためにメッシュがA通風穴に貼り付けられ、シーリングライトカバー上にはB通風穴が設けられ、外部からの空気はA通風穴から入ってB通風穴を出ることにより、放熱効果を増やし、さらに蚊やその他の虫類の進入を防止するためにメッシュがB通風穴にも貼り付けられる。本発明の灯具は強力な放熱能力を有することから、シーリングライトという、強い放熱能力を要する照明にLEDバルブを使用することが可能である。本発明では、複数個の光源を採用して、光要求の高い各種の室内場所に適応させることができる。
【００９４】
本実施の形態の図面符号の意味は以下の通りである。101-シーリングライトカバー、102-LEDバルブ、103-ヒートシンク、104-止めネジ、105-バルブ止めネジ、106-シーリングライトベース、109-ライトカバー固定クリップ、110-ベース支持パッド、301-バルブ実装フランジ固定穴。
【００９５】
［実施の形態7-1］
LED蝋燭型ランプであって、図72、図74に示すように、伝熱変換板27とヒートシンク103とを備えたLED蝋燭型ランプ灯具を備え、伝熱変換板27に実装インターフェースAZMを設けてLEDバルブ102を実装固定し、LEDバルブ102と伝熱変換板27との間に伝熱パッド2が設けられ、伝熱変換板27は接着、ネジ接続若しくは係合によって蝋燭型ランプハウジング101に接続され、ヒートシンク103は伝熱変換板27の下方に設けられる。蝋燭型ランプ灯具は、線管止めネジ109によって中間接続部品110に固定される線管108と、ライトヘッド止めネジ111によりヒートシンク103に接続される中間接続部品110とをさらに含み、前記実装インターフェースは、伝熱変換板27のLEDバルブ102と接触する面、LEDバルブ102に接続される穴を含む。ヒートシンク103は内部中空の柱状ヒートシンクであって、ヒートシンク103は円柱の最大外径において内側へ向かってヒートシンク基板を設け、円柱中心へ放射状に発射するようにフィンを形成し、前記柱状ヒートシンクは封閉する円弧に沿って基板を厚さとし2層以上の分断溝を開け、ヒートシンクが熱を受けた後、外部からの空気が分断溝を通じてヒートシンク中心へ流れ対流を形成し、冷却効果に達する。蝋燭型ランプ灯具は、メス電気コネクター10、メスコネクタ止めネジ25、固定調節ゴムパッド24を含む電気コネクター組立品をさらに備え、前記メス電気コネクター10がLEDバルブのオス11に合わせて接続され、メス電気コネクター10には3穴フランジが設けられ、3穴フランジ用メスコネクター止めネジ25によって伝熱変換板27に固定され、防水面での密着性を保証するためにフランジと伝熱変換板27との間に固定調節ゴムパッド24がさらに設けられ、LEDバルブ102実装の際にオス電気コネクター11とメス電気コネクター10とを突き合わせてからLEDバルブ102を固定するだけでLEDバルブの電気的接続を実現でき、メス電気コネクター10によって引き出された導線は線管108を通じて電源と制御回路に接続される。伝熱転換板27の実装インターフェースAZM上の6つのフランジ固定穴は、LEDバルブ102外径Dから止めネジナット直径を引いてから、0.8〜4mmのエッジ値をさらに引いた直径D1上に均等分布する。LEDバルブ102はバルブ止めネジ105によって実装インターフェースに実装され、ヒートシンク103はその上のヒートシンク固定ネジ穴104Aを介して止めネジ104によって伝熱変換板27に実装される。
【００９６】
［実施の形態7-2］
LED蝋燭型ランプであって、図73、図75に示すように、伝熱変換板27とヒートシンク103とを備えたLED蝋燭型ランプ灯具を備え、伝熱変換板27に実装インターフェースAZMを設けてLEDバルブ102を実装固定し、LEDバルブ102と伝熱変換板27との間に伝熱パッド2が設けられ、伝熱変換板27は接着、ネジ接続若しくは係合によって蝋燭型ランプハウジング101に接続され、ヒートシンク103は伝熱変換板27の下方に設けられる。蝋燭型ランプ灯具は、線管止めネジ109によって中間接続部品110に固定される線管108と、ライトヘッド止めネジ111によりヒートシンク103に接続される中間接続部品110とをさらに含み、前記実装インターフェースは、伝熱変換板27のLEDバルブ102と接触する面、LEDバルブ102に接続される穴を含む。ヒートシンク103は内部中空の柱状ヒートシンクであって、ヒートシンク103は円柱の最大外径において内側へ向かってヒートシンク基板を設け、円柱中心へ放射状に発射するようにフィンを形成し、前記柱状ヒートシンクは封閉する円弧に沿って基板を厚さとし2層以上の分断溝を開け、ヒートシンクが熱を受けた後、外部からの空気が分断溝を通じてヒートシンク中心へ流れ対流を形成し、冷却効果に達する。蝋燭型ランプ灯具は、メス電気コネクター10、メスコネクター止めネジ25、固定調節ゴムパッド24を含む電気コネクター組立品をさらに備え、前記メス電気コネクター10がLEDバルブのオス11に合わせて接続され、メス電気コネクター10には3穴フランジが設けられ、3穴フランジ用メスコネクター止めネジ25によって伝熱変換板27に固定され、防水面での密着性を保証するためにフランジと伝熱変換板27との間に固定調節ゴムパッド24がさらに設けられ、LEDバルブ102実装の際にオス電気コネクター11とメス電気コネクター10とを突き合わせてからLEDバルブ102を固定するだけでLEDバルブの電気的接続を実現でき、メス電気コネクター10によって引き出された導線は駆動電源106に接続され、その後線管108を通じて電源と制御回路に接続され、駆動電源106はヒートシンク103の中空部分に設けられる。伝熱転換板27の実装インターフェースAZM上の6つのフランジ固定穴は、LEDバルブ102外径Dから止めネジナット直径を引いてから、0.8〜4mmのエッジ値をさらに引いた直径D1上に均等分布する。LEDバルブ102はバルブ止めネジ105によってバルブ実装インターフェースに実装され、ヒートシンク103はその上のヒートシンク固定ネジ穴104Aを介して止めネジ104によって伝熱変換板27に実装される。
【００９７】
本発明の実施の形態において、図75、79、80に示すように、蝋燭型ランプハウジング102には、ばね固定クリップ107によって中間接続部品110上に固定されるランプヒートシンクカバー101Aをさらに設けることができる。
【００９８】
本実施の形態において、中間接続部品110は、または、その上のネジ山を介して、若しくは直接接着することによりヒートシンク103に接続される。
【００９９】
本発明蝋燭型ランプ構造方式を応用したLED蝋燭シャンデリアであって、LEDバルブ102をフランジと止めネジ105によって蝋燭型灯具上の実装インターフェース上に固定し（実装インターフェースは、伝熱変換ブラケット27のLEDバルブ102に接触する面と、LEDバルブ102に接続される穴の上に設けられ、メスコネクター10は伝熱変換ブラケット27に固定される）、図22に示すように、複数個の蝋燭型ランプによって一組の蝋燭型シャンデリアとなる。本発明の蝋燭型構造方式を応用した一組のLED蝋燭型シャンデリアは、本発明のばね固定クリップ107付き蝋燭型灯具の外にランプヒートシンクカバー101Aが設けられ、LEDバルブ102をフランジと止めネジ105によって蝋燭型灯具上の実装インターフェース上に固定し（実装インターフェースは、伝熱変換ブラケット27のLEDバルブ102に接触する面と、LEDバルブ102に接続される穴の上に設けられ、コネクタメス10は伝熱変換ブラケット27に固定される）、アウターカバー（101A）を備えた複数の蝋燭型ランプは、図82に示すように、蝋燭型シャンデリアの組立を実現できる。
【０１００】
本発明の実施の形態において、図76、77、78に示すように、ランプアウターカバー101Aは半球形ランプカバー101B、フラットランプカバー101Cまたは蝋燭型ランプカバー101Dであってよい。
【０１０１】
本実施の形態の図面符号の意味は以下の通りである。101-蝋燭型ランプハウジング、
101A-ランプアウターカバー、101B-半球形ランプカバー、101C- フラットランプカバー
101D-蝋燭型ランプカバー、102-LEDバルブ、103-ヒートシンク、104-止めネジ、104A-ヒートシンク固定ネジ穴、105-バルブ止めネジ、106-駆動電源器、107-ばね固定クリップ、108-線管、109-線管止めネジ、110-中間接続部品、111-接続ネジ、301-バルブ実装フランジ固定穴。
【符号の説明】
【０１０２】
1-伝熱変換ブラケット、2-伝熱パッド、3-伝熱ブラケット、4-光機械モジュール、6-インナーカバー、7-配光光学レンズ、8-レンズスナップリング、9-バルブアウターカバー、10-メス電気コネクター、10A-ケーブル付き防水継手、11-オス電気コネクター、11A-ケーブル固定ヘッド、12-ヒートシンク止めネジ、14-レンズスナップリング止めネジ、15-固定端、16-防水ゴムリング、17-ピン、18-防水ゴムリング嵌合溝、19-接続ピン溶接スポット、22-オスコネクター固定穴、23-ヒートシンク固定用貫通孔、24-固定調節ゴムパッド、25-メスコネクター止めネジ、26-滑り止め溝、27-伝熱変換板、28-固定ナット、32-真空吸管、33-上プラグ、34-フィン、35-下プラグ、36-ケーブル穴、37-発泡金属、38-ヒートシンク固定ネジ穴、39-頂装固定フランジ、40-外部電源ボックス、42-メッシュ、61-凹型インナーカバー、62-インナーリングカバー、81-インナースナップリング、101-ヒートシンクカバー、102-本発明LEDバルブ、103-ヒートシンク、105-バルブ止めネジ、301-バルブ実装フランジ固定穴
【図１】
0006031601.tif 000003
【図２】
0006031601.tif 000004
【図３】
0006031601.tif 000005
【図４】
0006031601.tif 000006
【図５】
0006031601.tif 000007
【図６】
0006031601.tif 000008
【図７】
0006031601.tif 000009
【図８】
0006031601.tif 000010
【図９】
0006031601.tif 000011
【図１０】
0006031601.tif 000012
【図１１】
0006031601.tif 000013
【図１２】
0006031601.tif 000014
【図１３】
0006031601.tif 000015
【図１４】
0006031601.tif 000016
【図１５】
0006031601.tif 000017
【図１６】
0006031601.tif 000018
【図１７】
0006031601.tif 000019
【図１８】
0006031601.tif 000020
【図１９】
0006031601.tif 000021
【図２０】
0006031601.tif 000022
【図２１】
0006031601.tif 000023
【図２２】
0006031601.tif 000024
【図２３】
0006031601.tif 000025
【図２４】
0006031601.tif 000026
【図２５】
0006031601.tif 000027
【図２６】
0006031601.tif 000028
【図２７】
0006031601.tif 000029
【図２８】
0006031601.tif 000030
【図２９】
0006031601.tif 000031
【図３０】
0006031601.tif 000032
【図３１】
0006031601.tif 000033
【図３２】
0006031601.tif 000034
【図３３】
0006031601.tif 000035
【図３４】
0006031601.tif 000036
【図３５】
0006031601.tif 000037
【図３６】
0006031601.tif 000038
【図３７】
0006031601.tif 000039
【図３８】
0006031601.tif 000040
【図３９】
0006031601.tif 000041
【図４０】
0006031601.tif 000042
【図４１】
0006031601.tif 000043
【図４２】
0006031601.tif 000044
【図４３】
0006031601.tif 000045
【図４４】
0006031601.tif 000046
【図４５】
0006031601.tif 000047
【図４６】
0006031601.tif 000048
【図４７】
0006031601.tif 000049
【図４８】
0006031601.tif 000050
【図４９】
0006031601.tif 000051
【図５０】
0006031601.tif 000052
【図５１】
0006031601.tif 000053
【図５２】
0006031601.tif 000054
【図５３】
0006031601.tif 000055
【図５４】
0006031601.tif 000056
【図５５】
0006031601.tif 000057
【図５６】
0006031601.tif 000058
【図５７】
0006031601.tif 000059
【図５８】
0006031601.tif 000060
【図５９】
0006031601.tif 000061
【図６０】
0006031601.tif 000062
【図６１】
0006031601.tif 000063
【図６２】
0006031601.tif 000064
【図６３】
0006031601.tif 000065
【図６４】
0006031601.tif 000066
【図６５】
0006031601.tif 000067
【図６６】
0006031601.tif 000068
【図６７】
0006031601.tif 000069
【図６８】
0006031601.tif 000070
【図６９】
0006031601.tif 000071
【図７０】
0006031601.tif 000072
【図７１】
0006031601.tif 000073
【図７２】
0006031601.tif 000074
【図７３】
0006031601.tif 000075
【図７４】
0006031601.tif 000076
【図７５】
0006031601.tif 000077
【図７６】
0006031601.tif 000078
【図７７】
0006031601.tif 000079
【図７８】
0006031601.tif 000080
【図７９】
0006031601.tif 000081
【図８０】
0006031601.tif 000082
【図８１】
0006031601.tif 000083
【図８２】
0006031601.tif 000084
【図８３】
0006031601.tif 000085
【図８４】
0006031601.tif 000086